(57)【要約】【課題】キャプチャーデータ提供方法及びそのための移動端末機を提供する。【解決手段】移動端末機のキャプチャーデータ提供方法は、ユーザによって入力されたキャプチャーパネル要請ジェスチャーを感知する段階と、キャプチャーパネル要請ジェスチャーに応答し、画面の一側に一部が表示または隠されたキャプチャーパネルの全体形状をディスプレイする段階と、を含み、キャプチャーパネルは、移動端末機によってキャプチャーされたコンテンツに対応するイメージ及びメタデータを含むキャプチャーデータのリストが表示されることを特徴とする。【選択図】図９
2013175183.tif 000002
【特許請求の範囲】
【請求項１】
移動端末機のキャプチャーデータ提供方法において、
ユーザによって入力されたキャプチャーパネル要請ジェスチャーを感知する段階と、
前記キャプチャーパネル要請ジェスチャーに応答し、画面の一側に一部が表示または隠されたキャプチャーパネルの全体形状をディスプレイする段階と、を含み、
前記キャプチャーパネルは、前記移動端末機によってキャプチャーされたコンテンツに対応するイメージ及びメタデータを含むキャプチャーデータのリストが表示されることを特徴とするキャプチャーデータ提供方法。
【請求項２】
前記キャプチャーパネル要請ジェスチャーは、
前記画面の外側の所定位置で前記画面の内側方向にフリックするフリックジェスチャーを含むことを特徴とする請求項１に記載のキャプチャーデータ提供方法。
【請求項３】
前記キャプチャーパネルは、
前記フリックジェスチャーによって、前記画面の外側の所定位置で前記画面の内側方向に出現することを特徴とする請求項２に記載のキャプチャーデータ提供方法。
【請求項４】
前記キャプチャーパネルは、
前記キャプチャーされたコンテンツに対応するイメージ、メタデータ、及びコンテンツの種類を示すアイコンのうちの少なくとも１つを含むことを特徴とする請求項１に記載のキャプチャーデータ提供方法。
【請求項５】
前記メタデータは、
前記キャプチャーされたコンテンツに対応する付加情報、リンク情報、及びおすすめ情報のうちの少なくとも１つを含むことを特徴とする請求項１に記載のキャプチャーデータ提供方法。
【請求項６】
前記キャプチャーデータ提供方法は、
前記キャプチャーパネルに含まれた少なくとも１つのキャプチャーデータについての選択ジェスチャーを感知する段階と、
前記選択ジェスチャーが第１ジェスチャーである場合、少なくとも１つのキャプチャーデータに対応する追加情報を提供し、前記選択ジェスチャーが第２ジェスチャーである場合、前記少なくとも１つのキャプチャーデータを外部デバイスに伝送するための共有パネルがディスプレイされる共有モードに切り換える段階と、をさらに含むことを特徴とする請求項１に記載のキャプチャーデータ提供方法。
【請求項７】
前記キャプチャーデータ提供方法は、
前記キャプチャーパネルに含まれた少なくとも１つのキャプチャーデータについてのタップジェスチャーを感知する段階と、
前記タップジェスチャーが感知されたキャプチャーデータに含まれたメタデータに基づいて、前記タップジェスチャーが感知されたキャプチャーデータに対応する追加情報を提供する段階と、をさらに含むことを特徴とする請求項１に記載のキャプチャーデータ提供方法。
【請求項８】
前記追加情報を提供する段階は、
前記タップジェスチャーが感知されたキャプチャーデータに対応する追加情報を提供するためのアプリケーションを選択する段階と、
前記選択されたアプリケーションを実行する段階と、を含むことを特徴とする請求項７に記載のキャプチャーデータ提供方法。
【請求項９】
前記キャプチャーデータ提供方法は、
前記キャプチャーパネルに含まれた少なくとも１つのキャプチャーデータについてのスイープジェスチャーを感知する段階と、
前記感知されたスイープジェスチャーに対応するキャプチャーデータを、前記画面の第１領域にディスプレイする段階と、
外部デバイスの識別情報のリストが含まれた共有パネルを前記画面の第２領域にディスプレイする段階と、
前記キャプチャーパネルを前記画面の第３領域にディスプレイする段階と、をさらに含むことを特徴とする請求項１に記載のキャプチャーデータ提供方法。
【請求項１０】
前記キャプチャーデータ提供方法は、
前記共有パネルに含まれた少なくとも１つの外部デバイスの識別情報についてのタップジェスチャーを感知する段階と、
前記感知されたタップジェスチャーに対応する外部デバイスに、前記第１領域にディスプレイされたキャプチャーデータを伝送する段階と、をさらに含むことを特徴とする請求項９に記載のキャプチャーデータ提供方法。
【請求項１１】
前記キャプチャーデータ提供方法は、
前記ユーザから入力された共有パネル要請ジェスチャーを感知する段階と、
前記感知された共有パネル要請ジェスチャーに応答し、外部デバイスの識別情報のリストが含まれた共有パネルを前記画面の一側にディスプレイする段階と、をさらに含むことを特徴とする請求項１に記載のキャプチャーデータ提供方法。
【請求項１２】
前記キャプチャーデータ提供方法は、
前記ディスプレイされたキャプチャーパネルの第１ポイントから、前記ディスプレイされた共有パネルの第２ポイントへのドラッグアンドドロップジェスチャーを感知する段階と、
前記感知されたドラッグアンドドロップジェスチャーに基づいて、前記第１ポイントに対応するキャプチャーデータを前記第２ポイントに対応する外部デバイスに伝送する段階と、をさらに含むことを特徴とする請求項１１に記載のキャプチャーデータ提供方法。
【請求項１３】
前記キャプチャーパネル要請ジェスチャーは、
前記ユーザから入力された少なくとも１つ以上のコンテンツについてのキャプチャー要請ジェスチャーを含むことを特徴とする請求項１に記載のキャプチャーデータ提供方法。
【請求項１４】
前記キャプチャーデータは、
前記移動端末機内で再生される内部コンテンツに対応するキャプチャーデータと、前記移動端末機の外部に存在する外部コンテンツに対応するキャプチャーデータとのうちの少なくとも１つを含むことを特徴とする請求項１に記載のキャプチャーデータ提供方法。
【請求項１５】
ユーザによって入力されたキャプチャーパネル要請ジェスチャーを感知するセンシング部と、
前記キャプチャーパネル要請ジェスチャーに応答し、画面の一側に一部が表示または隠されたキャプチャーパネルの全体形状をディスプレイするディスプレイ部と、
前記センシング部及び前記ディスプレイ部を制御する制御部と、を備え、
前記キャプチャーパネルは、前記移動端末機によってキャプチャーされたコンテンツに対応するイメージ及びメタデータを含むキャプチャーデータのリストが表示されることを特徴とする移動端末機。
【発明の詳細な説明】
【技術分野】
【０００１】
本発明は、ユーザのジェスチャーを感知してキャプチャーデータを提供する方法及びそのための移動端末機に関する。
【背景技術】
【０００２】
移動端末機は、多様な機能を行えるように構成される。かかる多様な機能の例としては、データ及び音声通信機能、カメラで写真や動画を撮影する機能、音声保存機能、スピーカーシステムを介した音楽ファイルの再生機能、イメージやビデオのディスプレイ機能などがある。
一部の移動端末機はゲームを行えるさらなる機能を含み、他の一部の移動端末機はマルチメディア機器として具現されることもある。なお、最近の移動端末機は、放送やマルチキャスト信号を受信してビデオやテレビプログラムを視聴することもできる。
また、ユーザによる移動端末機の所持時間が増加するにつれて、移動端末機にはユーザの個人化情報が多く蓄積する。よって、ユーザの個人化情報を効率高く蓄積し、蓄積されたユーザの個人化情報を用いてユーザにさらに便利な機能を提供できる移動端末機が必要である。
【発明の概要】
【発明が解決しようとする課題】
【０００３】
本発明の課題は、キャプチャーデータ提供方法及びそのための移動端末機を提供することである。
【課題を解決するための手段】
【０００４】
本発明の一実施態様による移動端末機のキャプチャーデータ提供方法は、ユーザによって入力されたキャプチャーパネル要請ジェスチャーを感知する段階と、前記キャプチャーパネル要請ジェスチャーに応答し、画面の一側に一部が表示または隠されたキャプチャーパネルの全体形状をディスプレイする段階と、を含み、前記キャプチャーパネルは、前記移動端末機によってキャプチャーされたコンテンツに対応するイメージ及びメタデータを含むキャプチャーデータのリストが表示される。
本発明の一実施態様によるキャプチャーパネル要請ジェスチャーは、前記画面の外側の所定位置で前記画面の内側方向にフリックするフリックジェスチャーを含む。
本発明の一実施態様によるキャプチャーパネルは、前記フリックジェスチャーによって、前記画面の外側の所定位置で前記画面の内側方向に出現する。
【０００５】
本発明の一実施態様によるキャプチャーパネルは、前記キャプチャーされたコンテンツに対応するイメージ、メタデータ、及びコンテンツの種類を示すアイコンのうちの少なくとも１つを含む。
本発明の一実施態様によるメタデータは、前記キャプチャーされたコンテンツに対応する付加情報、リンク情報、及びおすすめ情報のうちの少なくとも１つを含む。
本発明の一実施態様によるキャプチャーデータ提供方法は、前記キャプチャーパネルに含まれた少なくとも１つのキャプチャーデータについての選択ジェスチャーを感知する段階と、前記選択ジェスチャーが第１ジェスチャーである場合、少なくとも１つのキャプチャーデータに対応する追加情報を提供し、前記選択ジェスチャーが第２ジェスチャーである場合、前記少なくとも１つのキャプチャーデータを外部デバイスに伝送するための共有パネルがディスプレイされる共有モードに切り換える段階と、をさらに含む。
【０００６】
本発明の一実施態様によるキャプチャーデータ提供方法は、前記キャプチャーパネルに含まれた少なくとも１つのキャプチャーデータについてのタップジェスチャーを感知する段階と、前記タップジェスチャーが感知されたキャプチャーデータに含まれたメタデータに基づいて、前記タップジェスチャーが感知されたキャプチャーデータに対応する追加情報を提供する段階と、をさらに含む。
本発明の一実施態様による追加情報を提供する段階は、前記タップジェスチャーが感知されたキャプチャーデータに対応する追加情報を提供するためのアプリケーションを選択する段階と、前記選択されたアプリケーションを実行する段階と、を含む。
【０００７】
本発明の一実施態様によるキャプチャーデータ提供方法は、前記キャプチャーパネルに含まれた少なくとも１つのキャプチャーデータについてのスイープジェスチャーを感知する段階と、前記感知されたスイープジェスチャーに対応するキャプチャーデータを、前記画面の第１領域にディスプレイする段階と、外部デバイスの識別情報のリストが含まれた共有パネルを前記画面の第２領域にディスプレイする段階と、前記キャプチャーパネルを前記画面の第３領域にディスプレイする段階と、をさらに含む。
本発明の一実施態様による第１領域は、前記画面の中央から所定距離内に位置し、第２領域は、前記画面の一側に位置し、第３領域は、前記画面の他側に位置する。
本発明の一実施態様によるキャプチャーデータ提供方法は、前記共有パネルに含まれた少なくとも１つの外部デバイスの識別情報についてのタップジェスチャーを感知する段階と、前記感知されたタップジェスチャーに対応する外部デバイスに、前記第１領域にディスプレイされたキャプチャーデータを伝送する段階と、をさらに含む。
【０００８】
本発明の一実施態様によるキャプチャーデータ提供方法は、前記ユーザから入力された共有パネル要請ジェスチャーを感知する段階と、前記感知された共有パネル要請ジェスチャーに応答し、外部デバイスの識別情報のリストが含まれた共有パネルを前記画面の一側にディスプレイする段階と、をさらに含む。
本発明の一実施態様によるキャプチャーデータ提供方法は、前記ディスプレイされたキャプチャーパネルの第１ポイントから、前記ディスプレイされた共有パネルの第２ポイントへのドラッグアンドドロップジェスチャーを感知する段階と、前記感知されたドラッグアンドドロップジェスチャーに基づいて、前記第１ポイントに対応するキャプチャーデータを前記第２ポイントに対応する外部デバイスに伝送する段階と、をさらに含む。
【０００９】
本発明の一実施態様によるキャプチャーパネルに含まれたキャプチャーデータのリストは、キャプチャー時間またはコンテンツの種類に基づいて整列される。
本発明の一実施態様によるキャプチャーパネル要請ジェスチャーは、前記ユーザから入力された少なくとも１つ以上のコンテンツについてのキャプチャー要請ジェスチャーを含む。
本発明の一実施態様によるキャプチャーデータは、前記移動端末機内で再生される内部コンテンツに対応するキャプチャーデータと、前記移動端末機の外部に存在する外部コンテンツに対応するキャプチャーデータとのうちの少なくとも１つを含む。
【００１０】
本発明の一実施態様による移動端末機は、ユーザによって入力されたキャプチャーパネル要請ジェスチャーを感知するセンシング部と、前記キャプチャーパネル要請ジェスチャーに応答し、画面の一側に一部が表示または隠されたキャプチャーパネルの全体形状をディスプレイするディスプレイ部と、前記センシング部及び前記ディスプレイ部を制御する制御部と、を備え、前記キャプチャーパネルは、前記移動端末機によってキャプチャーされたコンテンツに対応するイメージ及びメタデータを含むキャプチャーデータのリストが表示される。
【図面の簡単な説明】
【００１１】
【図１】本発明の一実施形態に係る移動端末機の構成を説明するためのブロック構成図である。
【図２】本発明の一実施形態に係るコンテンツキャプチャー方法を説明するためのフローチャートである。
【図３】本発明の一実施形態に係るキャプチャーされるコンテンツの種類を選択する方法を説明するための図面である。
【図４】本発明の一実施形態に係る内部コンテンツキャプチャー方法を説明するための図面である。
【図５】本発明の一実施形態に係る外部コンテンツキャプチャー方法を説明するための図面である。
【図６】本発明の一実施形態に係るキャプチャーデータの獲得時、共有パネルをディスプレイする画面を示す図面である。
【図７】本発明の一実施形態に係るキャプチャーデータの獲得時、キャプチャーパネル及び共有パネルをディスプレイする画面を示す図面である。
【図８】本発明の一実施形態に係るキャプチャーデータを共有する画面を示す図面である。
【図９】本発明の一実施形態に係るキャプチャーデータ提供方法を説明するためのフローチャートである。
【図１０】本発明の一実施形態に係るキャプチャーパネルを説明するための図面である。
【図１１】本発明の一実施形態に係るキャプチャーパネルでキャプチャーデータを共有する方法を説明するための図面である。
【図１２】本発明の一実施形態に係るデータ共有方法を説明するための図面である。
【図１３】本発明の一実施形態に係る共有パネルを説明するための図面である。
【図１４】本発明の一実施形態に係る共有パネルを用いて外部デバイスと通信する方法を説明するための図面である。
【図１５】本発明の一実施形態に係る共有パネルを用いて多様な外部デバイスと通信する方法を説明するための図面である。
【図１６】本発明の一実施形態に係る情報提供方法を説明するためのフローチャートである。
【図１７】本発明の一実施形態に係る共有パネル、キャプチャーパネル、おすすめパネルを説明するための図面である。
【図１８】本発明の一実施形態に係るおすすめパネルを用いた情報提供方法を説明するためのフローチャートである。
【図１９】本発明の一実施形態に係るおすすめ要請ジェスチャーを説明するための図面である。
【図２０】本発明の一実施形態に係るおすすめデータをディスプレイする方法を説明するための図面である。
【発明を実施するための形態】
【００１２】
本明細書で使われる用語について簡略に説明し、本発明について具体的に説明する。
本発明で使われる用語は、本発明での機能に鑑みてなるべく現在広く使われている一般的な用語を選択したが、これは当業者の意図または判例、新たな技術の出現などによって変わる。また、特定の場合には出願人が任意に選んだ用語もあり、この場合、該発明の説明部分で詳細にその意味を記載する。したがって、本発明で使われる用語は単純な用語の名称ではなく、その用語が持つ意味及び本発明の内容全般に基づいて定義されねばならない。
【００１３】
明細書全体である部分がある構成要素を「含む」という時、これは、特に逆の記載がない限り、他の構成要素を除くものではなく他の構成要素をさらに含むことができるということを意味する。また、明細書に記載した「部」、「モジュール」などの用語は、少なくとも１つの機能や動作を処理する単位を意味し、これは、ハードウェアまたはソフトウェアで具現されるか、またはハードウェアとソフトウェアとの組合せで具現される。
【００１４】
明細書全体として「オブジェクト」は、ユーザが選択できる対象を意味する。アイコン、リンク、絵、テキスト、インデックス項目などがオブジェクトの一例である。「ページ」はコンテンツ、情報またはオブジェクトが含まれた空間を意味する。例えば、ウェプページ、コンテンツリスト、サムネイルリスト、写真の配列されたトレー、アイコンの配列されたトレーなどがページの一例である。
明細書全体として「ジェスチャー」とは、ユーザが移動端末機を制御するために使う手ぶりなどを意味する。例えば、本明細書で記述されるジェスチャーには、タップ、タッチ＆ホールド、ダブルタップ、ドラッグ、パンニング、フリック、ドラッグ・アンド・ドロップなどがあり得る。
【００１５】
「タップ」は、ユーザが指やタッチ道具（スタイラス）を用いて画面を素早くタッチする動作を示す。すなわち、指やタッチ道具が画面に触れる時点であるタッチ・イン時点と、指やタッチ道具が画面から離れる時点であるタッチ・アウト時点との時間差が非常に短い場合を意味する。
「タッチ＆ホールド」は、ユーザが指やタッチ道具を用いて画面をタッチした後、しきい値時間以上タッチ入力を維持する動作を示す。すなわち、タッチ・イン時点とタッチ・アウト時点の間の時間差がしきい値時間以上である場合を意味する。タッチ入力がタップであるか、またはタッチ＆ホールドであるかをユーザに認識させるめにタッチ入力がしきい値時間以上維持されれば、視覚的または聴覚的にフィードバック信号を提供してもよい。
「ダブルタップ」は、ユーザが指やタッチ道具を用いて画面を素早く２回タッチする動作を示す。
【００１６】
「ドラッグ」は、ユーザが指やタッチ道具を画面にタッチした後、タッチを維持した状態で指やタッチ道具を画面内の他の位置に移動させる動作を意味する。ドラッグ動作によってオブジェクトが移動するか、または後述するパンニング動作が行われる。
「パンニング」は、ユーザがオブジェクトを選択せずにドラッグ動作を行う場合を示す。パンニングは、特定オブジェクトを選択しないため、オブジェクトがページ内で移動するものではなくページ自体が画面内で移動するか、またはオブジェクトのグループがページ内で移動する。
「フリック」は、ユーザが指やタッチ道具を用いて素早くドラッグする動作を示す。指やタッチ道具の移動速度がしきい値速度以上であるかどうかに基づいてドラッグ（またはパンニング）とフリックとを区別する。
「ドラッグ・アンド・ドロップ」は、ユーザが指やタッチ道具を用いてオブジェクトを画面内所定位置にドラッグした後で置く動作を意味する。
【００１７】
以下、添付した図面を参考して本発明の実施形態について当業者が容易に行えるように詳細に説明する。しかしながら、本発明はいろいろな異なる形態で具現でき、ここで説明する実施形態に限定されない。そして、図面で本発明を明確に説明するために説明と関係ない部分は省略し、明細書全体で類似した部分については類似した図面符号をつけた。
【００１８】
図１は、本発明の一実施形態に係る移動端末機の構成を説明するためのブロック構成図である。
移動端末機１００は、多様な形態で具現できる。例えば、本明細書で記述される移動端末機１００は、携帯電話、スマートフォン、ノート型パソコン、デジタル放送用端末機、ＰＤＡ（Ｐｅｒｓｏｎａｌ Ｄｉｇｉｔａｌ Ａｓｓｉｓｔａｎｔｓ）、ＰＭＰ（Ｐｏｒｔａｂｌｅ Ｍｕｌｔｉｍｅｄｉａ Ｐｌａｙｅｒ）、ナビゲーション、タブレットＰＣなどがある。
図１に示したように、移動端末機１００は、センシング部１１０、キャプチャー部１２０、メモリ１３０、ユーザ入力部１４０、ディスプレイ部１５０、通信部１６０、おすすめ部１７０、制御部１８０を備える。しかしながら、図示された構成要素がいずれも必須構成要素であるというわけではない。図示された構成要素より多い構成要素によって移動端末機１００が具現されてもく、それより少ない構成要素によっても移動端末機１００が具現されてもよい。
【００１９】
以下、前記構成要素について順次に説明する。
センシング部１１０は、移動端末機１００の位置、ユーザ接触有無、移動端末機１００の方位、移動端末機１００の加速／減速などの移動端末機１００の現状態を感知し、移動端末機１００の動作を制御するためのセンシング信号を発生させる。
本発明の一実施形態に係るセンシング部１１０には、タッチスクリーンのタッチまたは近接タッチを感知するための多様なセンサーが備えられる。タッチスクリーンのタッチを感知するためのセンサーの一例として、触覚センサーがある。触覚センサーとは、人間が感じる程度またはそれ以上に特定物体の接触を感知するセンサーをいう。前記触覚センサーは、接触面の粗度、接触物体の硬度、接触地点の温度などの多様な情報を感知する。
【００２０】
また、タッチスクリーンのタッチを感知するためのセンサーの一例として、近接センサーがある。
近接センサーとは、所定検出面に近付く物体、あるいは、近くに存在する物体の有無を、電磁界の力または赤外線を用いて機械的接触なしに検出するセンサーをいう。よって、近接センサーは接触式センサーよりはその寿命がより長く、その活用度もより高い。
近接センサーの例としては、透過型光電センサー、直接反射型光電センサー、ミラー反射型光電センサー、高周波発振型近接センサー、静電容量型近接センサー、磁気型近接センサー、赤外線近接センサーなどがある。
【００２１】
したがって、本発明の一実施形態に係るセンシング部１１０は、ユーザから入力されるジェスチャーまたはパターンを感知する。例えば、センシング部１１０は、ドラッグ、フリック、タップ、タッチ＆ホールド、ダブルタップ、パンニング、スイープなどのユーザジェスチャーを感知する。この時、センシング部１１０は、ジェスチャーの方向、ジェスチャーの速度、ジェスチャーの長さなどを感知する。
【００２２】
キャプチャー部１２０は、ユーザのキャプチャー要請ジェスチャーによって少なくとも１つ以上のコンテンツをキャプチャーする。本発明の一実施形態に係るコンテンツは、内部コンテンツまたは外部コンテンツである。内部コンテンツは、移動端末機１００内で再生されるコンテンツを意味し、外部コンテンツは、移動端末機１００の外部に存在するコンテンツを意味する。
一方、本発明の一実施形態に係るコンテンツは、静止画、動画、サウンドなどを含む。したがって、本発明の一実施形態に係るキャプチャー部１２０には、オーディオ信号またはビデオ信号入力のためのカメラ１２１及びマイク１２２などが備えられる。
【００２３】
カメラ１２１は、ビデオ通話モードまたは撮影モードで、イメージセンサーによって得られる静止画または動画などの画像フレームを処理する。そして、処理された画像フレームはディスプレイ部１５０に表示される。
カメラ１２１で処理された画像フレームは、メモリ１３０に保存されるか、または通信部１６０を介して外部に伝送される。カメラ１２１は、端末機の構成態様によって２個以上が備えられてもよい。
マイク１２２は、通話モードまたは録音モード、音声認識モードなどでマイクロホンによって外部の音響信号を入力されて電気的な音声データに処理する。マイク１２２は、外部の音響信号を入力される過程で発生するノイズを除去するための多様なノイズ除去アルゴリズムが具現される。
【００２４】
キャプチャー部１２０は、カメラ１２１またはマイク１２２を通じてキャプチャーされた少なくとも１つ以上のコンテンツに対応するイメージ及びメタデータを含むキャプチャーデータを獲得する。すなわち、キャプチャー部１２０は、キャプチャーされたコンテンツに対応するイメージ及びメタデータを、メモリ１３０または外部サーバから収集する。
キャプチャーされたコンテンツに対応するイメージは、キャプチャーされたコンテンツが静止画である場合にキャプチャーされたコンテンツ自体でありうる。また、キャプチャーされたコンテンツが音楽などのサウンドである場合、キャプチャーされたコンテンツに関するイメージでありうる。本発明の一実施形態に係るメタデータは、キャプチャーされたコンテンツに関する付加情報、おすすめ情報、リンク情報などを含む。
【００２５】
本発明の一実施形態によれば、キャプチャー部１２０は、キャプチャーされたコンテンツに対応するイメージ及びメタデータを１つのフォーマットで生成する。例えば、キャプチャー部１２０は、キャプチャーデータをＥｘｉｆ（エクスチェンジャブルイメージファイル形式：ＥＸｃｈａｎｇａｂｌｅ Ｉｍａｇｅ Ｆｉｌｅ ｆｏｒｍａｔ）、ＸＭＰ（Ｅｘｔｅｎｓｉｂｌｅ Ｍｅｔａｄａｔａ Ｐｌａｔｆｏｒｍ ｆｒｏｍ Ａｄｏｂｅ）、ＩＰＴＣ（Ｉｎｔｅｒｎａｔｉｏｎａｌ Ｐｒｅｓｓ Ｔｅｌｅｃｏｍｍｕｎｉｃａｔｉｏｎｓ Ｃｏｕｎｃｉｌ）などのフォーマットで生成できる。
【００２６】
メモリ１３０は、制御部１８０の処理及び制御のためのプログラムが保存されてもよく、入／出力されるデータ（例えば、キャプチャーデータ、電話帳、メッセージ、静止画、動画など）の保存のための機能を行える。
メモリ１３０は、フラッシュメモリタイプ、ハードディスクタイプ、マルチメディアカードマイクロタイプ、カードタイプのメモリ（例えば、ＳＤまたはＸＤメモリなど）、ＲＡＭ（Ｒａｎｄｏｍ Ａｃｃｅｓｓ Ｍｅｍｏｒｙ）、ＳＲＡＭ（Ｓｔａｔｉｃ Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＰＲＯＭ（Ｐｒｏｇｒａｍｍａｂｌｅ Ｒｅａｄ−Ｏｎｌｙ Ｍｅｍｏｒｙ）、磁気メモリ、磁気ディスク、光ディスクのうちの少なくとも１つのタイプの記録媒体を含む。また、移動端末機１００は、インターネット上でメモリ１３０の保存機能を行うウェブストレージを運用できる。
【００２７】
ユーザ入力部１４０は、端末機の動作制御のための入力データを発生させる。ユーザ入力部１４０は、キーパッド、ドームスイッチ、タッチパッド（定圧／静電）、ジョグホイール、ジョグスイッチ、ハードウェア（Ｈ／Ｗ）ボタンなどで構成される。特に、タッチパッドが後述するディスプレイ部１５０と互いにレイヤー構造をなす場合、これをタッチスクリーンと称する。
ディスプレイ部１５０は、移動端末機１００で処理される情報を表示出力する。例えば、ディスプレイ部１５０は、キャプチャー部１２０でキャプチャーしたキャプチャーデータ、キャプチャーデータのリストが含まれたキャプチャーパネル、外部デバイス２００の識別情報のリストが含まれた共有パネルに係るＵＩ（ｕｓｅｒ ｉｎｔｅｒｆａｃｅ）、ＧＵＩ（ｇｒａｐｈｉｃａｌ ｕｓｅｒ ｉｎｔｅｒｆａｃｅ）などを表示する。
【００２８】
一方、前述したように、ディスプレイ部１５０とタッチパッドとが互いにレイヤー構造をなしてタッチスクリーンとして構成される場合、ディスプレイ部１５０は、出力装置以外に入力装置としても使われる。ディスプレイ部１５０は、液晶ディスプレイ、薄膜トランジスタ液晶ディスプレイ、有機発光ダイオード、フレキシブルディスプレイ、３次元ディスプレイのうちの少なくとも１つを含む。そして、移動端末機１００の具現形態によってディスプレイ部１５０が２つ以上存在してもよい。タッチスクリーンは、タッチ入力位置、タッチされた面積だけではなくタッチ入力圧力までも検出するように構成される。また、タッチスクリーンは、前記タッチ（ｒｅａｌ−ｔｏｕｃｈ）だけではなく、近接タッチ（ｐｒｏｘｉｍｉｔｙ−ｔｏｕｃｈ）も検出するように構成されてもよい。
本明細書で「タッチ（ｒｅａｌ−ｔｏｕｃｈ）」とは、画面に実際にポインタがタッチされた場合をいい、「近接タッチ（ｐｒｏｘｉｍｉｔｙ−ｔｏｕｃｈ）」とは、ポインタが画面に実際にタッチされるものではなく、画面から所定距離離れて近づいた場合をいう。本明細書でポインタとは、ディスプレイされた画面の特定部分をタッチまたは近接タッチするための道具をいう。その一例として、スタイラスペン、指などがある。
【００２９】
通信部１６０は、移動端末機１００と外部デバイス２００との間で通信を行う１つ以上の構成要素を含む。例えば、通信部１６０は、放送受信モジュール、移動通信モジュール、無線インターネットモジュール、有線インターネットモジュール、近距離通信モジュール、位置情報モジュールなどを含む。
放送受信モジュールは、放送チャネルを介して外部の放送管理サーバから放送信号及び／または放送に関する情報を受信する。前記放送チャネルは、衛星チャネル、至上波チャネルを含む。
また、移動通信モジュールは、移動通信網上で基地局、外部の端末、サーバのうちの少なくとも１つと無線信号を送受信する。ここで、前記無線信号は、音声呼出信号、ビデオ通話呼出信号または文字／マルチメディアメッセージ送受信による多様な形態のデータを含む。
【００３０】
無線インターネットモジュールとは、無線インターネット接続のためのモジュールをいい、無線インターネットモジュールは、内装または外装される。また、有線インターネットモジュールとは、有線インターネット接続のためのモジュールを意味する。
近距離通信モジュールとは、近距離通信のためのモジュールをいう。近距離通信技術として、ブルートゥース、ＲＦＩＤ（Ｒａｄｉｏ Ｆｒｅｑｕｅｎｃｙ Ｉｄｅｎｔｉｆｉｃａｔｉｏｎ）、赤外線通信（ＩｒＤＡ、ｉｎｆｒａｒｅｄ Ｄａｔａ Ａｓｓｏｃｉａｔｉｏｎ）、ＵＷＢ（Ｕｌｔｒａ Ｗｉｄｅｂａｎｄ）、ＺｉｇＢｅｅ、ＷＦＤ（Ｗｉ−Ｆｉ Ｄｉｒｅｃｔ）ＮＦＣ（Ｎｅａｒ Ｆｉｅｌｄ Ｃｏｍｍｕｎｉｃａｔｉｏｎ）などが用いられる。
また、位置情報モジュールは、移動端末機１００の位置を確認または得るためのモジュールである。一例として、ＧＰＳ（Ｇｌｏｂａｌ Ｐｏｓｉｔｉｏｎ Ｓｙｓｔｅｍ）モジュールがある。ＧＰＳモジュールは、複数の人工衛星から位置情報を受信する。ここで、位置情報は、緯度及び経度で表示される座標情報を含む。
【００３１】
おすすめ部１７０は、キャプチャーデータによっておすすめコンテンツを生成する。おすすめ部１７０は、移動端末機１００の使用パターン情報、ユーザのプロファイル情報、ユーザの生活パターン情報、及びおすすめ要請ジェスチャー感知時の状況情報のうちの少なくとも１つをさらに考慮しておすすめコンテンツを生成する。
すなわち、おすすめ部１７０は、ユーザの基本情報（性別、年齢、職業、居住地など）、周辺状況情報（位置、天気、Ｗｉ−Ｆｉゾーンなど）、デバイス使用パターン情報（アプリケーション利用回数、音楽再生回数、動画再生回数、ＳＮＳ利用頻度、連絡パターンなど）、ユーザの活動パターン情報（運動回数など）、ユーザのデバイス情報（所有するデバイスの種類、数など）、キャプチャーパネルに保存されているキャプチャーデータなどを考慮して、状況情報に合うコンテンツをユーザにすすめることができる。
本発明の一実施形態に係るおすすめコンテンツは、静止画、動画、音楽、広告コンテンツなどが含まれる。一方、本発明の一実施形態によれば、おすすめ部１７０は、ユーザログ情報が保存されるサーバと連動しておすすめコンテンツを生成することもできる。
【００３２】
制御部１８０は、通常的に移動端末機１００の全般的な動作を制御する。例えば、制御部１８０は、コンテンツキャプチャー、音声通話、データ通信、ビデオ通話などに係る制御及び処理を行う。すなわち、制御部１８０は、センシング部１１０、キャプチャー部１２０、メモリ１３０、ユーザ入力部１４０、ディスプレイ部１５０、通信部１６０、おすすめ部１７０を全般的に制御する。
また、制御部１８０は、マルチメディア再生のためのマルチメディアモジュールを備える。マルチメディアモジュールは、制御部１８０内に具現されてもよく、制御部１８０と別途に具現されてもよい。
【００３３】
一方、本発明の一実施形態に係る外部デバイス２００は、移動端末機１００と通信可能な装置を意味する。外部デバイス２００の一例として、携帯電話、スマートフォン、ノート型パソコン、デジタル放送用端末機、ＰＤＡ、ＰＭＰ、ナビゲーション、タブレットＰＣ、デジタルカメラ、デジタルＣＥ（Ｃｏｎｓｕｍｅｒ Ｅｌｃｔｒｏｎｉｃｓ）器機などがある。デジタルＣＥ機器には、ＤＴＶ（Ｄｉｇｉｔａｌ ｔｅｌｅｖｉｓｉｏｎ）、ＩＰＴＶ（Ｉｎｔｅｒｎｅｔ Ｐｒｏｔｏｃｏｌ Ｔｅｌｅｖｉｓｉｏｎ）、ディスプレイ装置付き冷蔵庫、エアコン、プリンタなどがある。
一方、本発明の一実施形態に係る外部デバイス２００は、サーバ装置（例えば、ＳＮＳサーバなど）を備える。
【００３４】
以下では、前記移動端末機１００の各構成によりコンテンツをキャプチャーする方法について、図２を参照して詳細に説明する。
図２は、本発明の一実施形態に係るコンテンツキャプチャー方法を説明するためのフローチャートである。図２を参照すれば、本発明の一実施形態に係るコンテンツキャプチャー方法は、図１に示した移動端末機１００で時系列的に処理される段階で構成される。よって、以下で省略された内容であっても、図１に示した移動端末機１００について以上で記述された内容は、図２のコンテンツキャプチャー方法にも適用されるということが分かる。
【００３５】
本発明の一実施形態によれば、センシング部１１０は、ユーザから入力されたキャプチャー要請ジェスチャーを感知する［Ｓ２１０］。本発明の一実施形態に係るキャプチャー要請ジェスチャーとは、コンテンツのキャプチャーに係るユーザの命令が含まれたジェスチャーを意味する。キャプチャー要請ジェスチャーは既定のものであってもよい。キャプチャー要請ジェスチャーの一例として、キャプチャーキーを押すか、または画面の所定領域をタッチまたはタップするか、または移動端末機１００を振るなどのジェスチャーがある。一方、センシング部１１０は、キャプチャー要請ジェスチャーの維持時間または繰り返し回数を感知することもできる。
【００３６】
本発明の一実施形態によれば、キャプチャー部１２０は、キャプチャー要請ジェスチャーに基づいて少なくとも１つ以上のコンテンツをキャプチャーする［Ｓ２２０］。本発明の一実施形態によれば、キャプチャー部１２０は、キャプチャー要請ジェスチャーの維持時間または繰り返し回数によってキャプチャーするコンテンツの種類を定める。本発明の一実施形態に係るコンテンツの種類には、内部コンテンツと外部コンテンツとがある。
【００３７】
内部コンテンツは、移動端末機１００の内部で再生されるコンテンツを意味する。例えば、内部コンテンツには、再生中のサウンドコンテンツ（音楽またはボイスコンテンツ）、再生中の動画コンテンツ（ビデオコンテンツ）、ディスプレイされた静止画コンテンツ（ブックコンテンツ、地図コンテンツ、文書コンテンツ、日程コンテンツ、ウェプページ）などがある。
外部コンテンツは、移動端末機１００の外部に存在するコンテンツを意味する。例えば、外部コンテンツには、サウンドコンテンツ（他のデバイスで再生中の音楽、ボイスなど）、動画コンテンツ（放送コンテンツ、映画コンテンツ、広告映像コンテンツなど）、静止画コンテンツ（名刺、チケット、本、映画ポスター、ワインラベル、１次元バーコード、２次元バーコード、ロゴなど）などがある。
【００３８】
キャプチャー部１２０が、キャプチャーするコンテンツの種類を定める構成について、図３を参照してさらに詳細に説明する。図３は、本発明の一実施形態に係るキャプチャーされるコンテンツの種類を選択する方法を説明するための図面である。
センシング部１１０は、キャプチャー要請ジェスチャーを感知する［Ｓ３１０］。この時、センシング部１１０によって感知されたキャプチャー要請ジェスチャーの維持時間または繰り返し回数に基づいて、キャプチャー部１２０は、外部コンテンツをキャプチャーするか、または内部コンテンツをキャプチャーするかを定める［Ｓ３２０］。
【００３９】
本発明の一実施形態によれば、キャプチャー部１２０は、キャプチャー要請ジェスチャーの維持時間が所定時間未満の場合に内部コンテンツをキャプチャーし［Ｓ３３０］、キャプチャー要請ジェスチャーの維持時間が所定時間以上の場合に外部コンテツをキャプチャーする［Ｓ３４０］。例えば、キャプチャー要請ジェスチャーがキャプチャーキを押すジェスチャーである場合、ユーザがキャプチャーキを所定時間以上押せば、外部コンテンツがキャプチャーされ、ユーザがキャプチャーキを所定時間未満押せば、内部コンテンツがキャプチャーされる。本発明の一実施形態に係るキャプチャーキは、ハードウェア入力手段であってもよく、画面の所定領域またはベゼルの所定領域であってもよい。
逆に、キャプチャー部１２０は、キャプチャー要請ジェスチャーの維持時間が所定時間未満の場合に外部コンテンツをキャプチャーし、キャプチャー要請ジェスチャーの維持時間が所定時間以上の場合に内部コンテンツをキャプチャーしてもよい。
【００４０】
本発明のさらに別の実施形態によれば、キャプチャー部１２０は、キャプチャー要請ジェスチャーの繰り返し回数が所定回数未満の場合に内部コンテンツをキャプチャーし［Ｓ３３０］、キャプチャー要請ジェスチャーの繰り返し回数が所定回数以上の場合に外部コンテンツをキャプチャーする［Ｓ３４０］。例えば、キャプチャー要請ジェスチャーが画面の所定領域をタップするジェスチャーである場合、ユーザが画面の所定領域を１回タップすれば、内部コンテンツがキャプチャーされ、ユーザが画面の所定領域を２回タップすれば、外部コンテンツがキャプチャーされる。
逆に、キャプチャー部１２０は、キャプチャー要請ジェスチャーの繰り返し回数が所定回数未満の場合に外部コンテンツをキャプチャーし、キャプチャー要請ジェスチャーの繰り返し回数が所定回数以上の場合に内部コンテンツをキャプチャーしてもよい。
【００４１】
再び図２を参照すれば、キャプチャー部１２０は、前記キャプチャーされた少なくとも１つ以上のコンテンツに対応するキャプチャーデータを獲得する［Ｓ２３０］。すなわち、本発明の一実施形態によれば、キャプチャー部１２０は、キャプチャーされたコンテンツに対応するイメージ及びメタデータを収集する。この時、キャプチャー部１２０は、キャプチャーされたコンテンツに対応するイメージ及びメタデータをメモリ１３０または外部サーバから収集する。
【００４２】
キャプチャーされたコンテンツに対応するイメージは、キャプチャーされたコンテンツが静止画である場合、キャプチャーされたコンテンツ自体になる。例えば、キャプチャー部１２０が移動端末機１００内部にディスプレイされたウェプページをキャプチャーした場合、キャプチャーされたコンテンツに対応するイメージは、キャプチャーされたウェプページ自体になる。
また、キャプチャーされたコンテンツが音楽などのサウンドである場合、キャプチャーされたコンテンツに対応するイメージは、キャプチャーされたコンテンツに関するイメージである。例えば、キャプチャー部１２０が移動端末機１００内で再生中の音楽コンテンツまたは外部デバイスで再生中の音楽コンテンツをキャプチャーした場合、キャプチャーされた音楽コンテンツに対応するイメージは、アルバムジャケット写真、歌手写真、ミュージックビデオ写真などになる。また、キャプチャー部１２０が広告映像をキャプチャーした場合、キャプチャーされたコンテンツに対応するイメージは広告商品イメージになり、キャプチャー部１２０が放送映像をキャプチャーした場合、キャプチャーされたコンテンツに対応するイメージは放送プログラムメインイメージになる。
【００４３】
本発明の一実施形態に係るメタデータは、キャプチャーされたコンテンツに関する付加情報、おすすめ情報、リンク情報などを含む。付加情報は、コンテンツがキャプチャーされた時刻、キャプチャーされた場所、キャプチャーされたコンテンツに関する情報などを含む。おすすめ情報は、キャプチャーされたコンテンツとの連関性及びユーザの個人情報に基づいて生成されたおすすめコンテンツに関する情報を意味する。リンク情報とは、ユーザ端末１００が特定コンテンツにアクセスするようにするコンテンツ接続経路に関する情報を意味する。リンク情報の一例として、ＵＲＬ（Ｕｎｉｆｏｒｍ／ｕｎｉｖｅｒｓａｌ Ｒｅｓｏｕｒｃｅ Ｌｏｃａｔｏｒ）がある。
【００４４】
例えば、キャプチャーされたコンテンツが外部デバイスで再生される音楽コンテンツである場合、キャプチャーされたコンテンツに対応するメタデータには、キャプチャーされた時刻、キャプチャーされた場所、歌タイトル、アーティスト、同一アーティストのさらに別の音楽、同一アルバムにあるおすすめ音楽コンテンツ、音源を提供するストリーミングサーバの接続情報などが含まれる。
キャプチャーされたコンテンツが本である場合、キャプチャーされたコンテンツに対応するメタデータには、本のタイトル、作家、キャプチャーされた時刻、キャプチャーされた場所、本を販売する場所、本の評価が紹介されたウェブページアドレス、作家のさらに別の本情報などが含まれる。
すなわち、キャプチャー部１２０がキャプチャーされたコンテンツを外部サーバに伝送すれば、外部サーバは、キャプチャーされたコンテンツとマッチングされるメタデータを収集し、収集されたメタデータをキャプチャー部１２０に伝送できる。
【００４５】
一方、キャプチャー部１２０でキャプチャーするコンテンツが外部コンテンツである場合、２つ以上のコンテンツを同時にキャプチャーしてもよい。本発明の一実施形態によれば、キャプチャー部１２０は、カメラ１２１により静止画コンテンツをキャプチャーすると同時に、マイク１２２によりサウンドコンテンツをキャプチャーする。
例えば、ユーザが音楽が出てくるワインバーでワインラベルをキャプチャーする場合、キャプチャー部１２０は、ワインラベルと背景の音楽とを同時にキャプチャーする。この時、キャプチャー部１２０は、ワインラベルと背景の音楽それぞれに関するキャプチャーデータを生成する。
【００４６】
キャプチャー部１２０は、キャプチャーされたワインラベルに係って、ワインのイメージ、ワインの名称、原産地、ぶどう品種、購買ページ接続アドレスなどのキャプチャーデータを獲得する。また、キャプチャー部１２０は、キャプチャーされた音楽コンテンツについて、音楽のタイトル、アーティスト、音源提供サイトの接続アドレス、キャプチャー時刻、キャプチャー場所などのキャプチャーデータを獲得する。
本発明の一実施形態によれば、キャプチャー部１２０は、単純なスクリーンイメージのみをキャプチャーするものではなく、キャプチャー時の端末の状況、コンテンツの付加情報、連関情報、おすすめ情報、リンク情報などキャプチャーされるコンテンツに対応するメタデータまでも共にキャプチャーする。
【００４７】
ディスプレイ部１５０は、前記獲得されたキャプチャーデータを画面の所定領域にディスプレイする［Ｓ２４０］。すなわち、ディスプレイ部１５０は、キャプチャーされたコンテンツに対応するイメージ及びメタデータを画面の所定領域にディスプレイする。
例えば、瞻星台がキャプチャーされた場合、瞻星台のイメージ及び瞻星台に関する説明、キャプチャーされた場所、キャプチャー時間などのメタデータがディスプレイされる。また、映画ポスターがキャプチャーされた場合、キャプチャーされた映画フォスターイメージ及び映画タイトル、監督、出演陣、封切り日時、上映館などのメタデータがディスプレイされる。
【００４８】
本発明の一実施形態によれば、ディスプレイ部１５０は、キャプチャーデータを画面の中央領域にディスプレイする。この時、本発明の一実施形態によれば、ディスプレイ部１５０は、キャプチャーデータをカード形態にディスプレイする。
複数のキャプチャーデータが同時に獲得された場合、ディスプレイ部１５０は、複数のキャプチャーデータをいずれもディスプレイしてもよく、そのうちの１つのみを画面の所定領域にディスプレイしてもよい。
一方、本発明の一実施形態によれば、ディスプレイ部１５０は、キャプチャーデータの獲得時に自動で画面の所定領域に獲得されたキャプチャーデータをディスプレイする。この場合、ユーザはキャプチャーされたコンテンツに対応するイメージ及びメタデータをコンテンツキャプチャー時にすぐ確認可能になる。
【００４９】
センシング部１１０は、ディスプレイされたキャプチャーデータについてのユーザの選択を感知する［Ｓ２５０］。例えば、ユーザがディスプレイされたキャプチャーデータをタップする場合、センシング部１１０は、ユーザのタップジェスチャーを感知する。
制御部１８０は、センシング部１１０によって選択が感知されたキャプチャーデータに対応する詳細情報を提供する［Ｓ２６０］。詳細情報とは、ディスプレイされたイメージ及びメタデータ以外にさらに深みのある情報を意味する。詳細情報は、追加情報として言及される。本発明の一実施形態に係る詳細情報の提供は、キャプチャーデータに関するウェブページをディスプレイするか、または音楽コンテンツをプレイするか、または動画を再生することなどを含む。
【００５０】
制御部１８０は、キャプチャーデータのメタデータに基づいて、詳細情報を提供するためのアプリケーションを選択する。例えば、ユーザによって選択されたキャプチャーデータが音楽コンテンツに対応するキャプチャーデータである場合、制御部１８０は、音楽ファイルをプレイするためのアプリケーションを選択して音楽ファイルを再生する。ユーザによって選択されたキャプチャーデータがゲームコンテンツに対応するキャプチャーデータである場合、制御部１８０は、ゲームアプリケーションを実行して該ゲームサービスを提供する。
制御部１８０は、キャプチャーパネルに前記獲得されたキャプチャーデータを追加する［Ｓ２７０］。キャプチャーパネルは、移動端末機１００により獲得されたキャプチャーデータが保存される領域を意味する。キャプチャーパネルにはキャプチャーデータのリストが表示される。本発明の一実施形態に係るキャプチャーパネルは、一種のグラフィックユーザインターフェース（ＧＵＩ：Ｇｒａｐｈｉｃａｌ Ｕｓｅｒ Ｉｎｔｅｒｆａｃｅ）である。
【００５１】
本発明の一実施形態によれば、制御部１８０は、キャプチャーパネルに含まれたキャプチャーデータのリストを、キャプチャー時間によって整列する。例えば、制御部１８０は、最も最近キャプチャーされたコンテンツに対応するキャプチャーデータをキャプチャーパネルの最上位領域に配列する。
本発明のさらに別の実施形態によれば、制御部１８０は、キャプチャーパネルに含まれたキャプチャーデータのリストをコンテンツの種類に基づいて整列する。例えば、制御部１８０は、キャプチャーパネルに含まれたキャプチャーデータを静止画コンテンツ、サウンドコンテンツ、動画コンテンツ別に分類して配列する。
【００５２】
ディスプレイ部１５０は、キャプチャーデータが追加されたキャプチャーパネルをディスプレイする［Ｓ２８０］。例えば、キャプチャーデータが獲得された場合、ディスプレイ部１５０は、前記獲得されたキャプチャーデータを画面の第１領域にディスプレイし、前記獲得されたキャプチャーデータが追加されたキャプチャーパネルを第２領域にディスプレイする。
この時、本発明の一実施形態によれば、ディスプレイ部１５０は、キャプチャーパネル全体を第２領域にディスプレイしてもよく、キャプチャーパネルの一部を第２領域にディスプレイしてもよい。
【００５３】
本発明の一実施形態によれば、キャプチャーパネルには、キャプチャーされたコンテンツそれぞれに対応するイメージ及びメタデータが含まれる。本発明の一実施形態によれば、キャプチャーパネルには、コンテンツの種類を示すアイコンがさらに表示される。
これについて、図４及び図５を参照してさらに詳細に説明する。
図４は、本発明の一実施形態に係る内部コンテンツキャプチャー方法を説明するための図面である。
【００５４】
図４（ａ）に示したように、センシング部１１０は、ユーザから入力された内部コンテンツのキャプチャーを要請するジェスチャーを感知する。内部コンテンツのキャプチャーを要請するジェスチャーの一例として、所定時間以上キャプチャーキを押す行為がある。
この時、移動端末機１００で歌手「ＩＵ」の音楽が再生され、ＩＵのアルバムイメージがディスプレイされているならば、キャプチャー部１２０は、ＩＵのアルバムイメージが表示されたスクリーンイメージ４１０をキャプチャーし、現在再生中のＩＵ音楽に関するメタデータ４２０を、メモリ１３０または外部サーバから獲得する。ＩＵ音楽に関するメタデータ４２０には、「アーティスト：ＩＵ、アルバム：Ｒｅａｌ ｍｅ、タイトル：Ｙｏｕ＆Ｉ、キャプチャー時間：２０１２年３月１日」などがある。
【００５５】
図４（ｂ）に示したように、ディスプレイ部１５０は、スクリーンイメージ４１０及びメタデータ４２０を含むキャプチャーデータを第１領域にディスプレイする。本発明の一実施形態によれば、キャプチャーデータは、カード形態に画面の中央領域にディスプレイされる。したがって、本発明の一実施形態によれば、ユーザは、キャプチャーされたコンテンツに関するイメージ及びメタデータをすぐ確認可能になる。
また、制御部１８０は、キャプチャーされたスクリーンイメージ４１０及びメタデータ４２０を含むキャプチャーデータをキャプチャーシキャプチャーパネル３００に追加する。この時、本発明の一実施形態によれば、キャプチャーパネル３００の最上位領域に新たに獲得されたキャプチャーデータが追加される。そしてディスプレイ部１５０は、キャプチャーデータが追加されたキャプチャーパネル３００を画面の一側面にディスプレイする。
すなわち、本発明の一実施形態によれば、ユーザが内部コンテンツをキャプチャーする場合、ディスプレイ部１５０は、新たに生成されたキャプチャーデータを画面の中央にディスプレイし、画面の一側面にはキャプチャーパネル３００の全部または一部をディスプレイする。この時、ユーザは、キャプチャーパネル３００に新たに獲得されたキャプチャーデータが保存されたかどうかが確認できる。
【００５６】
図４（ｃ）に示したように、本発明の一実施形態に係るキャプチャーパネル３００には、キャプチャーされたコンテンツに対応するイメージ及びメタデータがディスプレイされる。この時、本発明の一実施形態によれば、キャプチャーパネル３００に含まれたキャプチャーデータのリストは、時間順またはコンテンツ種類順に配列される。
一方、キャプチャーパネル３００の一部イメージのみがディスプレイされた場合、ユーザはキャプチャーパネル３００をタッチし、タッチを維持したまま画面の内側方向にドラッグする。この時、ディスプレイ部１５０は、キャプチャーパネル３００の全体イメージをユーザに提供する。本発明の一実施形態によれば、ユーザは、キャプチャーパネル３００に含まれたキャプチャーデータのリストを通じて、過去に自分がキャプチャーしたコンテンツに対応するキャプチャーデータを一括的に確認する。
【００５７】
図５は、本発明の一実施形態に係る外部コンテンツキャプチャー方法を説明するための図面である。
図５に示したように、センシング部１１０は、ユーザから入力された外部コンテンツのキャプチャーを要請するジェスチャーを感知する。外部コンテンツのキャプチャーを要請するジェスチャーの一例として、キャプチャーキを所定時間以上押す行為がある。
図５（ａ）に示したように、音楽が出てくる書店でユーザが本を見ている途中で特定の本に興味を感じてその本をキャプチャーしたい時がありうる。この場合、ユーザは、外部コンテンツをキャプチャーするためのジェスチャーをとる。
図５（ｂ）に示したように、キャプチャー部１２０は、ユーザのキャプチャー要請ジェスチャーに基づいて外部コンテンツをキャプチャーする。この時、周辺で音楽が流れているので、キャプチャー部１２０は、本イメージと共に背景の音楽もキャプチャーできる。
【００５８】
図５（ｃ）に示したように、キャプチャー部１２０は、音楽に対応するイメージ及びメタデータを含むキャプチャーデータ１ ５１０と、本に対応するイメージ及びメタデータを含むキャプチャーデータ２ ５２０を生成する。制御部１８０は、生成されたキャプチャーデータ１ ５１０及びキャプチャーデータ２ ５２０をキャプチャーパネル３００に追加する。制御部１８０は、キャプチャーデータ１ ５１０及びキャプチャーデータ２ ５２０をキャプチャーする時にキャプチャーパネル３００に自動で追加してもよく、ユーザの別途のジェスチャーがある場合に追加してもよい。
そして、ディスプレイ部１５０は、新たに生成されたキャプチャーデータ１ ５１０及びキャプチャーデータ２ ５２０のうちの少なくとも１つを第１領域にディスプレイし、キャプチャーパネル３００を第２領域にディスプレイする。
図５（ｄ）に示したように、キャプチャーパネル３００には、ユーザによってキャプチャーされたキャプチャーデータ１ ５１０及びキャプチャーデータ２ ５２０が保存される。本発明の一実施形態によれば、ユーザは、キャプチャーパネル３００に追加されたキャプチャーデータが自分の所望のキャプチャーデータではない場合、キャプチャーパネル３００から除去してもよい。
【００５９】
再び図２に戻れば、キャプチャーデータが獲得された場合、ディスプレイ部１５０は、キャプチャーデータを第１領域にディスプレイし、共有パネルを第２領域にディスプレイする［Ｓ２９０］。
共有パネルは、データを共有するための外部デバイス２００の識別情報のリストが表示される統合通信パネルを意味する。ユーザによって共有パネルに含まれた少なくとも１つの外部デバイス２００の識別情報が選択される場合、通信部１６０は、選択された外部デバイス２００と通信する。本発明の一実施形態に係る外部デバイス２００の識別情報には、外部デバイス２００のユーザ識別情報、グループ識別情報、サーバ識別情報などが含まれる。また、共有パネルは、電話帳リスト及びＳＮＳリストを含む。ＳＮＳリストは、ＳＮＳ上で知人関係と登録されたユーザに関する識別リストを意味する。
これについて、図６を参照してさらに詳細に説明する。
【００６０】
図６は、本発明の一実施形態に係るキャプチャーデータの獲得時、共有パネルをディスプレイする画面を示す図面である。
ユーザのキャプチャー要請ジェスチャーによって、移動端末機１００は、地図アプリケーション実行中に地図イメージ６１０をキャプチャーする。この時、ディスプレイ部１５０は、キャプチャーされた地図イメージ６１０及びキャプチャーされた地図イメージに関するメタデータ６２０を画面の第１領域にディスプレイし、画面の一側面には共有パネル４００をディスプレイする。
【００６１】
共有パネル４００には、外部デバイス２００のユーザ識別情報４００−１、外部デバイス２００の識別値４００−２、グループ識別情報４００−３、ＳＮＳサーバ識別情報４００−４、エージェント識別情報４００−５などが含まれる。
外部デバイス２００のユーザ識別情報４００−１には、友達のプロフィールイメージ、電話番号、ＩＤなどが含まれる。外部デバイス２００の識別値４００−２には、スマートＴＶ、タブレットＰＣなどのＣＥ器機識別イメージまたはデバイスＩＤが含まれる。グループ識別情報４００−３には、少なくとも２つ以上のユーザ識別情報、グループ人、グループイメージなどが含まれる。
ＳＮＳサーバ識別情報４００−４には、ＳＮＳサーバを示すイメージ、接続アドレス、勘定情報などが含まれる。「ＳＮＳ（Ｓｏｃｉａｌ Ｎｅｔｗｏｒｋｉｎｇ Ｓｅｒｖｉｃｅ）」とは、オンライン上で不特定の他人と関係を結べるサービスを意味する。ユーザはＳＮＳを通じて人脈を新たに築くか、既存人脈との関係を強化させる。
【００６２】
一方、制御部１８０は、共有パネル４００に含まれた外部デバイス２００の識別情報のリストを、通信時間、通信回数、及び移動端末機１００と外部デバイス２００のとの距離のうちの少なくとも１つに基づいて整列する。すなわち、制御部１８０は、最近通信した順序で外部デバイス２００の識別情報を整列してもよく、通信回数によって頻繁に通信する順序で外部デバイス２００の識別情報を整列してもよい。また、制御部１８０は、近距離に存在するデバイス順に外部デバイス２００の識別情報を整列してもよい。
したがって、ユーザは共有パネル４００を用いて、他のユーザまたは家族などのグループとのチャット、通話、放送などを自由に行える。また、ユーザは共有パネル４００を通じてキャプチャーデータを、フェイスブックなどのＳＮＳサーバまたはＴＶなどの外部デバイス２００に直ぐ伝送する。
【００６３】
例えば、図６に示したように、本発明の一実施形態によれば、ユーザは「Ｐｉｚｚａ Ｓｕｐｒｅｍａ」という食堂の位置が表示された地図イメージをキャプチャーし、キャプチャーされた「Ｐｉｚｚａ Ｓｕｐｒｅｍａ」の位置が表示された地図イメージ６１０、及びそれに関するメタデータ（食堂の名前、アドレス、地図アプリケーション情報、キャプチャー時間、キャプチャー場所など）６２０を共有パネル４００に含まれた外部デバイス２００に簡便に伝送できる。
【００６４】
本発明の一実施形態によれば、キャプチャーデータが獲得された場合、ディスプレイ部１５０は、前記獲得されたキャプチャーデータを第１領域にディスプレイし、前記獲得されたキャプチャーデータが追加されたキャプチャーパネル３００を第２領域にディスプレイし、共有パネル４００を第３領域にディスプレイしてもよい。
この時、本発明の一実施形態によれば、前記第１領域は画面の中央から所定距離内に位置し、第２領域は画面の一側に位置し、第３領域は画面の他側に位置する。図７を参照して詳細に説明する。
【００６５】
図７は、本発明の一実施形態に係るキャプチャーデータの獲得時、キャプチャーパネル３００及び共有パネル４００をディスプレイする画面を示す図面である。
図７に示したように、キャプチャー部１２０は、ユーザのキャプチャー要請ジェスチャーによってディスプレイされた地図イメージをキャプチャーし、地図イメージに関するメタデータを収集して、キャプチャーされた地図イメージに対応するキャプチャーデータを獲得する。
この場合、ディスプレイ部１５０は、キャプチャー部１２０によってキャプチャーされた地図イメージ、及びメタデータを含むキャプチャーデータ５００を画面の中央領域にディスプレイする。そしてディスプレイ部１５０は、キャプチャーパネル３００を画面の左側にディスプレイし、共有パネル４００を画面の右側にディスプレイする。しかしながら、キャプチャーデータ５００、キャプチャーパネル３００、共有パネル４００の位置がこれに固定されるものではない。ディスプレイ部１５０は、キャプチャーデータ５００、キャプチャーパネル３００、共有パネル４００を多様に配列できるものである。
【００６６】
ユーザが共有パネル４００を通じてキャプチャーデータを伝送する構成について、図８を参照してさらに詳細に説明する。
図８は、本発明の一実施形態に係るキャプチャーデータを共有する画面を示す図面である。
図８（ａ）に示したように、本発明の一実施形態によれば、キャプチャー部１２０によって獲得されたキャプチャーデータ５００は画面の第１領域にディスプレイされ、共有パネル４００は画面の第２領域にディスプレイされる。この場合、ユーザはキャプチャーデータ５００をドラッグして、共有パネル４００内の外部デバイス２００の識別情報にドロップする。
この時、センシング部１１０は、前記第１領域から前記第２領域へのドラッグ・アンド・ドロップ（ｄｒａｇ ａｎｄ ｄｒｏｐ）ジェスチャーを感知する。これによって、通信部１６０は、前記第２領域のドロップ位置に対応する外部デバイス２００にキャプチャーデータを伝送する。
【００６７】
例えば、ユーザＡがユーザＢとお昼を食べるため、食堂の位置が表示された地図をキャプチャーしてユーザＢのデバイスに伝送する場合を仮定する。この場合、ユーザＡが食堂の位置が表示された地図イメージを移動端末機１００内でキャプチャーすれば、キャプチャー部１２０は、地図イメージだけではなく地図イメージに関するメタデータまでキャプチャーする。そしてディスプレイ部１５０は、地図イメージ及びメタデータが含まれたキャプチャーデータを第１領域にディスプレイし、ユーザＢの識別情報が含まれた共有パネル４００を画面の第２領域にディスプレイする。この時、ユーザＡは、キャプチャーデータをドラッグして共有パネル４００上のユーザＢの識別情報上におけば、通信部１６０は、キャプチャーデータをユーザＢのデバイスに伝送する。キャプチャーデータには、イメージだけではなくメタデータ情報も含まれているので、ユーザＢは、自分のデバイスを通じて地図イメージがキャプチャーされた地図アプリケーションを実行させてみてもよい。
【００６８】
図８（ｂ）に示したように、本発明のさらに別の実施形態によれば、獲得されたキャプチャーデータ５００及び共有パネル４００が画面にディスプレイされた場合、ユーザは、前記共有パネル４００に含まれた少なくとも１つ以上の外部デバイス２００の識別情報をタップすることで、キャプチャーデータを外部デバイス２００に伝送してもよい。
例えば、ユーザＡが共有パネル４００上のユーザＢの識別情報をタップする場合、センシング部１１０は、ユーザのタップジェスチャーを感知し、通信部１６０は、感知されたタップジェスチャーに対応するユーザＢのデバイスにキャプチャーデータを伝送する。
【００６９】
以下、移動端末機１００の各構成を用いてキャプチャーデータを提供する方法について、図９を参照してさらに詳細に説明する。
図９は、本発明の一実施形態に係るキャプチャーデータ提供方法を説明するためのフローチャートである。図９を参照すれば、本発明の一実施形態に係るキャプチャーデータ提供方法は、図１に示した移動端末機１００で時系列的に処理される段階で構成される。よって、以下で省略された内容であっても、図１に示した移動端末機１００に関して以上で記述された内容は、図９のキャプチャーデータ提供方法にも適用されることが分かる。
【００７０】
センシング部１１０は、ユーザによって入力されたキャプチャーパネル要請ジェスチャーを感知する［Ｓ９１０］。本発明の一実施形態に係るキャプチャーパネル要請ジェスチャーとは、キャプチャーパネル３００の表示に関するユーザの命令が含まれているジェスチャーを意味する。キャプチャーパネル要請ジェスチャーは既定のものであってもよい。
本発明の一実施形態に係るキャプチャーパネル要請ジェスチャーは、画面の外側の所定位置で画面の内側方向にフリックするフリックジェスチャーを含む。画面の外側は画面の外縁領域だけではなくベゼル領域も含む。すなわち、本発明の一実施形態によれば、ユーザは、ベゼルまたは画面の外縁領域の所定位置で画面の内側方向に指をフリックすることでキャプチャーパネル３００を要請する。
本発明のさらに別の実施形態によれば、キャプチャーパネル要請ジェスチャーは、画面の所定領域をタッチまたはタップするか、または移動端末機１００を所定パターンで振る行為なども含む。
【００７１】
ディスプレイ部１５０は、前記感知されたキャプチャーパネル要請ジェスチャーに応答し、キャプチャーデータのリストを含むキャプチャーパネル３００を画面にディスプレイする［Ｓ９２０］。すなわち、ディスプレイ部１５０は、前記キャプチャーパネル要請ジェスチャーに応答し、画面の一側に一部が表示または隠されたキャプチャーパネルの全体形状をディスプレイする。
本発明の一実施形態に係るキャプチャーデータは、移動端末機１００によりキャプチャーされたコンテンツに対応するイメージ及びメタデータを含む。すなわち、ディスプレイ部１５０は、キャプチャーされたコンテンツに対応するイメージ及びメタデータのリストを含むキャプチャーパネル３００をディスプレイする。
本発明の一実施形態に係るキャプチャーされたコンテンツは、静止画、動画、及びサウンドのうちの少なくとも１つを含む。また、本発明の一実施形態に係るキャプチャーされたコンテンツは、内部コンテンツまたは外部コンテンツである。
【００７２】
本発明の一実施形態によれば、制御部１８０は、キャプチャーパネル３００に含まれたキャプチャーデータのリストをキャプチャー時間に基づいて整列する。例えば、キャプチャーされた時間が現在に近いキャプチャーデータであるほどキャプチャーパネル３００の上位領域に配列される。
本発明の一実施形態によれば、制御部１８０は、コンテンツの種類に基づいてキャプチャーデータのリストを整列してもよい。すなわち、制御部１８０は、内部コンテンツまたは外部コンテンツ別にキャプチャーデータのリストを提供してもよく、静止画、動画、イメージ別でキャプチャーデータのリストを提供してもよい。
【００７３】
本発明の一実施形態によれば、ディスプレイ部１５０は、ユーザのフリックジェスチャーによってキャプチャーパネル３００の全体イメージを１回に提供してもよく、ユーザのフリックジェスチャーの維持時間、フリック長さ、フリック回数によってキャプチャーパネル３００を分けてディスプレイしてもよい。
例えば、ユーザの第１次フリックジェスチャーが感知された場合、ディスプレイ部１５０が、隠されていたキャプチャーパネル３００の一部形状またはキュー（ｃｕｅ）をディスプレイし、ユーザの第２次フリックジェスチャーが感知される場合、ディスプレイ部１５０がキャプチャーパネル３００の全体イメージをディスプレイしてもよい。
本発明の一実施形態によれば、センシング部１１０が、キャプチャーパネル要請ジェスチャーとして、画面の外側の所定位置で画面の内側方向にフリックするフリックジェスチャーを感知した場合、ディスプレイ部１５０は、フリックジェスチャーによって画面の外側の所定位置で画面の内側方向にキャプチャーパネル３００が示されるディスプレイする。
【００７４】
以下、図１０を参照して、キャプチャーパネル３００のキャプチャーデータ提供方法をさらに詳細に説明する。
図１０は、本発明の一実施形態に係るキャプチャーパネルを説明するための図面である。
図１０（ａ）に示したように、ホームスクリーンまたはアプリケーション実行中に、センシング部１１０はキャプチャーパネル要請ジェスチャーを感知する。例えば、左側ベゼルから右側方向にフリックするジェスチャーがキャプチャーパネル要請ジェスチャーとして既定されている。この場合、ユーザが左側ベゼルから右側方向に指を用いてフリックする場合、センシング部１１０は、キャプチャーパネル要請ジェスチャーを感知する。
【００７５】
この時、ディスプレイ部１５０は、キャプチャーパネル要請ジェスチャーによってキャプチャーパネル３００を画面にディスプレイする。本発明の一実施形態によれば、ユーザが左側ベゼルを右側方向にフリックしたので、キャプチャーパネル３００は左側ベゼルから右側方向に出現する。
キャプチャーパネル要請ジェスチャーは多様に設定される。例えば、キャプチャーパネル要請ジェスチャーは、左側ベゼルから右側方向にフリックするジェスチャーだけではなく、右側ベゼルから左側方向にフリックするジェスチャー、上側ベゼルから下側方向にフリックするジェスチャー、下側ベゼルから上側方向にフリックするジェスチャーなどを含む。
【００７６】
図１０（ｂ）に示したように、本発明の一実施形態によれば、キャプチャーデータのリストは、キャプチャーデータに対応するイメージ１０３０、メタデータ１０２０及びコンテンツの種類を示すアイコン１０１０のうちの少なくとも１つを含む。例えば、サウンドコンテンツに関するキャプチャーデータは「△」アイコンで表示し、静止画に関するキャプチャーデータは「□」アイコンで表示し、動画に関するキャプチャーデータは「○」アイコンで表示する。
また、本発明の一実施形態によれば、キャプチャーパネル３００には複数のキャプチャーデータが表示されるので、ユーザは上下にスクロールを動かすか、または画面をタッチ後に上下にドラッグすることで、キャプチャーパネル３００に保存された多様なキャプチャーデータを確認する。
【００７７】
一方、キャプチャーパネル要請ジェスチャーは、ユーザから入力された少なくとも１つ以上のコンテンツについてのキャプチャー要請ジェスチャーを含む。すなわち、本発明の一実施形態によれば、キャプチャー要請ジェスチャーが感知された場合にも、ディスプレイ部１５０はキャプチャーパネル３００をディスプレイする。例えば、図７に示したように、ディスプレイ部１５０は、キャプチャー要請ジェスチャーによって獲得されたキャプチャーデータを画面の第１領域にディスプレイし、前記獲得されたキャプチャーデータが追加されたキャプチャーパネル３００を画面の第２領域にディスプレイする。コンテンツをキャプチャーする方法については図２で説明したので、ここでは別途の説明を省略する。
【００７８】
再び図９に戻れば、センシング部１１０は、キャプチャーパネル３００に含まれたキャプチャーデータのリストのうちの少なくとも１つのキャプチャーデータについての選択ジェスチャーを感知する［Ｓ９３０］。例えば、ユーザは少なくとも１つのキャプチャーデータ項目をタッチまたはタップするか、またはスイープする。
この場合、制御部１８０は選択ジェスチャーの種類によって、選択が感知されたキャプチャーデータに対応する詳細情報を提供してもよく、共有モードに切り換えてもよい［Ｓ９４０］。
【００７９】
本発明の一実施形態によれば、制御部１８０は、選択ジェスチャーが第１ジェスチャーである場合、選択が感知されたキャプチャーデータに含まれたメタデータに基づいて、選択が感知されたキャプチャーデータに対応する詳細情報を提供する［Ｓ９５０］。この時、本発明の一実施形態によれば、制御部１８０は、選択が感知されたキャプチャーデータに関する詳細情報を提供するためのアプリケーションを選択し、選択されたアプリケーションを実行する。
例えば、ユーザがキャプチャーパネル３００で選択したキャプチャーデータが音楽コンテンツに関するものならば、制御部１８０は、音楽コンテンツについてのストリーミングページを行える。ユーザがキャプチャーパネル３００で選択したキャプチャーデータが、日程（ｓｃｈｅｄｕｌｅ）に関するものならば、制御部１８０は、日程アプリケーションを実行できる。ユーザがキャプチャーパネル３００で選択したキャプチャーデータが映画コンテンツに関するものならば、制御部１８０は映画ファイルを再生する。
【００８０】
本発明の一実施形態によれば、センシング部１１０は、選択ジェスチャーが第２ジェスチャーである場合、キャプチャーデータを外部デバイスに伝送するための共有パネルがディスプレイされる共有モードに切り換える［Ｓ９６０］。本発明の一実施形態によれば、第２ジェスチャーは共有パネル要請ジェスチャーである。共有パネル要請ジェスチャーとは、外部デバイス２００とデータを共有するための共有パネル４００のディスプレイを要請するジェスチャーを意味する。本発明の一実施形態に係る共有パネル要請ジェスチャーは、既定のものであってもよい。本発明の一実施形態に係る共有パネル要請ジェスチャーには、フリックジェスチャー、スイープジェスチャーなどがある。
ディスプレイ部１５０は、前記感知された共有パネル要請ジェスチャーに応答し、外部デバイス２００の識別情報のリストが含まれた共有パネル４００を画面の一側にディスプレイする。
【００８１】
例えば、本発明の一実施形態によれば、キャプチャーパネル３００がディスプレイされた状態で、ユーザが画面の外側の所定位置で画面の内側方向にフリックするジェスチャーをとる場合、ディスプレイ部１５０は、共有パネル４００を画面の一側面にディスプレイする。
この時、センシング部１１０は、画面にディスプレイされたキャプチャーパネル３００の第１ポイントから、画面にディスプレイされた共有パネル４００の第２ポイントへのドラッグ・アンド・ドロップジェスチャーを感知する。この場合、通信部１６０は、前記感知されたドラッグ・アンド・ドロップジェスチャーに基づいて、前記第１ポイントに対応するキャプチャーデータを前記第２ポイントに対応する外部デバイス２００に伝送する。
【００８２】
本発明のさらに別の実施形態によれば、ディスプレイされたキャプチャーパネル３００に含まれたキャプチャーデータのリストのうちの少なくとも１つのキャプチャーデータについてのスイープジェスチャーが感知された場合、制御部１８０は共有モードに切り換える。
すなわち、ディスプレイ部１５０は、スイープジェスチャーに対応するキャプチャーデータを画面の第１領域にディスプレイし、共有パネル４００を画面の第２領域にディスプレイし、キャプチャーパネル３００を画面の第３領域にディスプレイする。
【００８３】
本発明の一実施形態によれば、第１領域は画面の中央から所定距離内に位置し、第２領域は画面の一側に位置し、第３領域は画面の他側に位置する。これに関して、図１１を参照して詳細に説明する。
図１１は、本発明の一実施形態に係るキャプチャーパネルでキャプチャーデータを共有する方法を説明するための図面である。
【００８４】
図１１（ａ）に示したように、ディスプレイ部１５０は、ユーザのキャプチャーパネル要請ジェスチャーに基づいて、キャプチャーデータのリストが含まれたキャプチャーパネル３００を画面にディスプレイする。この時、センシング部１１０は、キャプチャーデータ２（メタデータ２＋イメージ２）項目についてのユーザのスイープジェスチャーを感知する。スイープとは、ドラッグの一種であり、オブジェクトを所定時間以上タッチせず、画面の第１点から第２点まで指またはタッチペンで掃くように移動することを意味する。
図１１（ｂ）に示したように、キャプチャーパネル３００に含まれたキャプチャーデータのリストのうちの少なくとも１つのキャプチャーデータについてのスイープジェスチャーが感知された場合、ディスプレイ部１５０は、スイープジェスチャーに対応するキャプチャーデータ２（メタデータ２＋イメージ２）を画面の中央領域にディスプレイし、画面の左側にはキャプチャーパネル３００を、画面の右側には共有パネル４００をディスプレイする。
【００８５】
本発明の一実施形態によれば、センシング部１１０は、共有パネル４００に含まれた少なくとも１つ以上の外部デバイス２００の識別情報についてのタップジェスチャーを感知する。この時、通信部１６０は、タップジェスチャーに対応する外部デバイス２００に、前記スイープジェスチャーに対応するキャプチャーデータを伝送する。
例えば、ユーザがキャプチャーパネル３００に含まれたキャプチャーデータのうちの地図コンテンツに関するキャプチャーデータ２を友達Ｘと共有することを所望する場合、ユーザは左側ベゼルを右側方向にフリックしてキャプチャーパネル３００をディスプレイする。そしてユーザは、キャプチャーパネル３００で地図コンテンツに関するキャプチャーデータ２がディスプレイされた領域をスイープする。
この場合、ディスプレイ部１５０は、地図コンテンツに対応するキャプチャーデータ２を画面の中央領域にディスプレイし、左側にはキャプチャーパネル３００を、右側には共有パネル４００をディスプレイする。この時、ユーザが共有パネル４００に含まれた友達Ｘの識別情報をタップすれば、通信部１６０は、友達Ｘのデバイスに地図コンテンツに対応するキャプチャーデータ２を伝送する。
【００８６】
以下、移動端末機１００の各構成を用いてデータを外部デバイス２００と共有する方法について、図１２を参照してさらに詳細に説明する。
図１２は、本発明の一実施形態に係るデータ共有方法を説明するための図面である。図１２を参照すれば、本発明の一実施形態に係るデータ共有方法は、図１に示した移動端末機１００で時系列的に処理される段階で構成される。よって、以下で省略された内容であっても図１に示した移動端末機１００に関して以上で記述された内容は、図１２のデータ共有方法にも適用されるということが分かる。
図１２は、本発明の一実施形態に係るデータ共有方法を説明するための図面である。
センシング部１１０は、ユーザから入力された共有パネル要請ジェスチャーを感知する［Ｓ１２１０］。共有パネル要請ジェスチャーとは、外部デバイス２００とデータを共有するための共有パネル４００のディスプレイを要請するジェスチャーを意味する。本発明の一実施形態に係る共有パネル要請ジェスチャーは既定のものであってもよい。
【００８７】
本発明の一実施形態によれば、共有パネル要請ジェスチャーは、画面の外側の所定位置で画面の内側方向にフリックするフリックジェスチャーを含む。画面の外側は、画面の外縁領域だけではなくベゼル領域も含む。すなわち、本発明の一実施形態によれば、ユーザはベゼルまたは画面の外縁領域の所定位置で画面の内側方向に指をフリックすることで共有パネル４００を要請する。
本発明のさらに別の実施形態によれば、共有パネル要請ジェスチャーは画面の所定領域をタッチまたはタップするか、または移動端末機１００を所定パターンで振る行為なども含む。
ディスプレイ部１５０は、共有パネル要請ジェスチャーに応答し、画面の一側に隠された外部デバイスの識別情報のリストが含まれた共有パネルを示して前記画面の一側にディスプレイする［Ｓ１２２０］。
本発明の一実施形態に係る画面の一側にディスプレイされた共有パネルは、外部デバイス２００の識別情報に対応するサムネイルイメージが表示される。
【００８８】
本発明の一実施形態によれば、制御部１８０は、共有パネル４００に備えられた外部デバイスの識別情報のリストを通信時間に基づいて整列する。すなわち、制御部１８０は、最近に通信した外部デバイスの識別情報であるほど共有パネル４００の上位領域に配する。この場合、ユーザは、最近通信リストによってデータを共有する外部デバイス２００を選択する。
本発明の一実施形態によれば、制御部１８０は、通信回数に基づいて共有パネル４００に含まれた外部デバイス２００の識別情報のリストを整列してもよい。すなわち、制御部１８０は、ユーザが頻繁に通信する外部デバイス２００の識別情報を共有パネル４００の上位領域に配する。
本発明の一実施形態によれば、制御部１８０は、移動端末機１００と外部デバイス２００との距離に基づいて、共有パネル４００に含まれた外部デバイス２００の識別情報のリストを整列してもよい。すなわち、制御部１８０は、ＧＰＳまたはブルートゥースなどの近距離通信技術を用いて、近くに存在する外部デバイス２００らを検索（ｓｃａｎ）し、より近くにある外部デバイス２００の識別情報を共有パネル４００の上位領域に配してもよい。
【００８９】
本発明の一実施形態によれば、制御部１８０は、データを共有するための外部デバイス２００の識別情報をすすめることもできる。もし、ユーザが一般的に友達Ａ、友達Ｂ、友達Ｃに同時にデータを伝送する回数が所定回数以上の場合、ユーザが友達Ａの識別情報のみを選択しても、制御部１８０は、友達Ｂと友達Ｃとの識別情報を共有パネル４００の最上位領域に配することで、ユーザにすすめる。
また、ユーザが音楽コンテンツを外部デバイス２００と共有しようとする場合、制御部１８０は、所定回数以上ユーザと音楽コンテンツを共有した友達Ｘ、友達Ｙ、友達Ｚの識別情報を共有パネル４００の上位に表示することで、音楽コンテンツを共有する相手をすすめることもできる。
【００９０】
本発明の一実施形態に係る共有パネル４００は、フリックジェスチャーによって、画面の外側の所定位置で画面の内側方向に出現する。
本発明の一実施形態によれば、センシング部１１０は、画面の一側にディスプレイされた共有パネル４００についての詳細情報要請ジェスチャーを感知する［Ｓ１２３０］。本発明の一実施形態に係る詳細情報要請ジェスチャーには、画面の一側面にディスプレイされた共有パネル４００から前記画面の内側方向にフリックするジェスチャーが含まれる。
【００９１】
ディスプレイ部１５０は、詳細情報要請ジェスチャーに応答し、共有パネル４００を画面の内側方向に確張してディスプレイする［Ｓ１２４０］。この時、確張してディスプレイされた共有パネル４００には、外部デバイス２００の識別情報に対応する詳細情報が表示される。外部デバイス２００の識別情報に対応する詳細情報には、外部デバイス２００に関する速成情報、外部デバイス２００のユーザとの関係情報、外部デバイス２００または外部デバイス２００のユーザの識別イメージなどが含まれる。
すなわち、本発明の一実施形態によれば、ユーザの第１次フリックジェスチャーが感知された場合、ディスプレイ部１５０は、サムネイルイメージなどが簡単に表示された共有パネル４００を画面の一側面にディスプレイし、ユーザの第２次フリックジェスチャーが感知される場合、外部デバイス２００の識別情報に対応する詳細情報が含まれた共有パネル４００をディスプレイする。
【００９２】
本発明の一実施形態によれば、ホームスクリーンがディスプレイされるか、または所定アプリケーションが実行される途中で、ユーザは移動端末機１００に共有パネル４００を要請する。すなわち、センシング部１１０は、所定アプリケーションの実行中にユーザから入力された共有パネル要請ジェスチャーを感知する。この場合、ディスプレイ部１５０は共有パネル要請ジェスチャーに応答し、所定アプリケーション実行中に共有パネル４００を画面の一側面にディスプレイする。
この時、ユーザが実行中のアプリケーションのキャプチャーを要請する場合、キャプチャー部１２０は、実行中のアプリケーションをキャプチャーし、実行中のアプリケーションに対応するイメージ及びメタデータを含むキャプチャーデータを獲得する。
【００９３】
一方、センシング部１１０は、ディスプレイされた共有パネル４００に含まれた少なくとも１つ以上の外部デバイス２００の識別情報についての第１選択ジェスチャーを感知する。
第１選択ジェスチャーは、タップジェスチャー、タッチ＆ホールドジェスチャー、ダブルタップジェスチャー、フリックジェスチャーなどがある。この場合、通信部１６０は、第１選択ジェスチャーに対応する外部デバイス２００に共有データを伝送する。共有データとは、ユーザが外部デバイス２００と共有することを所望するデータを意味する。共有データの一例として、キャプチャーデータがある。
【００９４】
本発明の一実施形態に係る外部デバイス２００の識別情報は、外部デバイス２００のユーザ識別情報、グループ識別情報、サーバ識別情報、及び外部デバイス２００の識別値のうちの少なくとも１つを含む。
本発明の一実施形態によれば、制御部１８０は、第１選択ジェスチャーが感知された外部デバイス２００の識別情報に基づいて共有データを伝送するためのアプリケーションを選択し、選択されたアプリケーションを実行できる。通信部１６０は、行われたアプリケーションを通じて共有データを、第１選択ジェスチャーに対応する外部デバイス２００に伝送する。
【００９５】
すなわち、本発明の一実施形態によれば、ユーザが外部デバイス２００の識別情報として友達の電話番号を選択する場合、制御部１８０は、メッセージ伝送、チャット、または電話通話のためのアプリケーションを実行できる。ユーザが外部デバイス２００の識別情報としてＳＮＳサーバを選択した場合、制御部１８０は、ＳＮＳサーバに接続するためのアプリケーションを実行できる。
また、ユーザが外部デバイス２００の識別情報として、キャスト可能なデバイス識別値を選択する場合、制御部１８０は、キャストのためのアプリケーションを実行できる。本発明の一実施形態によれば、ユーザは、近距離または遠距離に存在する複数の外部デバイス２００にキャストにより同時にデータを共有させる。通信部１６０は、ＷＦＤ（Ｗｉ−Ｆｉ Ｄｉｒｅｃｔ）などの近距離通信を用いて近距離に存在する外部デバイス２００にキャストできる。図１３を参照して、共有パネル４００を用いるデータ共有方法についてさらに詳細に説明する。
【００９６】
図１３は、本発明の一実施形態に係る共有パネルを説明するための図面である。
図１３（ａ）に示したように、本発明の一実施形態によれば、ユーザはＹｏｕＴｕｂｅアプリケーション再生中に右側ベゼルを左側方向にフリックする。この場合、画面の右側に共有パネル４００が示される。共有パネル４００には、データを共有する外部デバイス２００の識別情報が含まれている。
図１３（ｂ）に示したように、ユーザが右側にディスプレイされた共有パネル４００を左側方向にもう１回フリックする場合、共有パネル４００が左側方向に拡張してディスプレイされる。拡張してディスプレイされた共有パネル４００には、外部デバイス２００の識別情報に関する詳細情報が含まれている。
図１３（ｃ）に示したように、ユーザが共有パネル４００でＫｅｖｉｎを選択した場合、通信部１６０は、Ｋｅｖｉｎのデバイスと通信を確立する。よって、本発明の一実施形態によれば、ユーザは簡単なジェスチャーだけで通信リストが含まれた共有パネル４００を呼び寄せることができ、共有パネル４００を通じて外部デバイス２００のユーザと簡便に通信可能になる。
【００９７】
本発明の一実施形態によれば、センシング部１１０は、ユーザから入力された少なくとも１つ以上のコンテンツについてのキャプチャー要請ジェスチャーを感知する。この場合、ディスプレイ部１５０は、前記キャプチャー要請ジェスチャーに応答し、少なくとも１つ以上のコンテンツについてのイメージ及びメタデータを含むキャプチャーデータを画面の第１領域にディスプレイし、共有パネル４００を画面の一側面である第２領域にディスプレイしてもよい。
本発明の一実施形態によれば、センシング部１１０が、前記第１領域から前記第２領域へのドラッグ・アンド・ドロップジェスチャーを感知すれば、制御部１８０は、通信部１６０が前記第２領域のドロップ位置に対応する外部デバイス２００に前記キャプチャーデータを伝送するように制御する。
本発明のさらに別の実施形態によれば、センシング部１１０が、共有パネル４００に含まれた少なくとも１つ以上の外部デバイス２００の識別情報についてのタップジェスチャーを感知する場合、制御部１８０は、通信部１６０が前記感知されたタップジェスチャーに対応する外部デバイス２００にキャプチャーデータを伝送するように制御する。これについて図１４を参照して詳細に説明する。
【００９８】
図１４は、本発明の一実施形態に係る共有パネルを用いて外部デバイス２００と通信する方法を説明するための図面である。
図１４（ａ）に示したように、本発明の一実施形態によれば、ユーザは、画面にディスプレイされた地図イメージをキャプチャーするためにキャプチャーキーを押す。この時、センシング部１１０はキャプチャー要請ジェスチャーを感知する。キャプチャー要請ジェスチャーについては前述したので、キャプチャー要請ジェスチャーに関する具体的な説明は省略する。
ディスプレイ部１５０は、キャプチャー要請ジェスチャーに応答し、キャプチャーされた地図イメージ及び地図イメージに関するメタデータを含むキャプチャーデータをディスプレイする。また、ディスプレイ部１５０は、キャプチャーデータと共に画面の一側面に共有パネル４００をディスプレイする。
この場合、ユーザは、キャプチャーデータを共有パネル４００にある特定外部デバイス２００の識別情報にドラッグする。例えば、ユーザがキャプチャーデータをドラッグして友達Ａ（Ｇａｓｔｒｏｎａｕｔｓ）の識別情報上におく場合、キャプチャーデータは友達Ａ（Ｇａｓｔｒｏｎａｕｔｓ）のデバイスに伝送される。
図１４（ｂ）に示したように、ユーザのドラッグ・アンド・ドロップジェスチャーによって、制御部１８０はメッセンジャープログラムを行い、ユーザは友達Ａ（Ｇａｓｔｒｏｎａｕｔｓ）とチャットを行える。すなわち、本発明の一実施形態によれば、ユーザはキャプチャーデータをキャプチャーして簡単に他人と共有する。
【００９９】
一方、本発明の一実施形態によれば、共有パネル４００が画面の一側面にディスプレイされた状態で、センシング部１１０は、ユーザによって入力されたキャプチャーパネル要請ジェスチャーを感知する。
この時、ディスプレイ部１５０は、キャプチャーパネル要請ジェスチャーに応答し、キャプチャーデータのリストを含むキャプチャーパネル３００を画面の他側面にディスプレイする。
【０１００】
本発明の一実施形態によれば、共有パネル要請ジェスチャーは、ベゼル内の第１ポイントで第１方向にフリックするフリックジェスチャーを含み、キャプチャーパネル要請ジェスチャーは、ベゼル内の第２ポイントで第２方向にフリックするフリックジェスチャーを含む。
この場合、共有パネル４００は、前記共有パネル要請ジェスチャーが感知されれば、ベゼル内の第１ポイントで第１方向に沿って現れ、キャプチャーパネル３００は、前記キャプチャーパネル要請ジェスチャーが感知されれば、ベゼル内の第２ポイントで第２方向に沿って現れる。
【０１０１】
例えば、キャプチャーパネル３００は、左側ベゼルから右側方向に示されて画面の左側にディスプレイされ、共有パネル４００は、右側ベゼルから左側方向に示されて画面の右側にディスプレイされる。
この時、センシング部１１０は、共有パネル４００に含まれた少なくとも１つ以上の外部デバイス２００の識別情報についての第１選択ジェスチャー、及びキャプチャーパネル３００に含まれた少なくとも１つ以上のキャプチャーデータについての第２選択ジェスチャーを感知する。
この場合、通信部１６０は、第２選択ジェスチャーに対応するキャプチャーデータを第１選択ジェスチャーに対応する外部デバイス２００に伝送する。
【０１０２】
本発明の一実施形態によれば、センシング部１１０がユーザから入力された少なくとも１つ以上のコンテンツについてのキャプチャー要請ジェスチャーを感知した場合、ディスプレイ部１５０は、キャプチャー要請ジェスチャーに応答し、前記少なくとも１つ以上のコンテンツについてのイメージ及びメタデータを含むキャプチャーデータを画面の第１領域にディスプレイし、共有パネル４００を画面の第２領域にディスプレイし、キャプチャーデータが追加されたキャプチャーパネル３００を画面の第３領域にディスプレイする。
この時、本発明の一実施形態によれば、前記第１領域は、前記画面の中央から所定距離内に位置し、前記第２領域は、前記画面の一側に位置し、前記第３領域は、前記画面の他側に位置する。これに関する詳細な説明は、図７の説明部分と重なるので、省略する。
【０１０３】
図１５は、本発明の一実施形態に係る共有パネルを用いて多様な外部デバイス２００と通信する方法を説明するための図面である。
図１５（ａ）に示したように、本発明の一実施形態によれば、ユーザは、招待状を友達に伝送するために共有パネル４００で複数のユーザを選択する。この場合、通信部１６０は、複数のユーザの各デバイスに招待状を伝送する。
すなわち、本発明の一実施形態によれば、ユーザは共有パネル４００を通じて、他ユーザ１人または所定ユーザグループとのチャット、文字送受信、通話、放送などを行う。
本発明の一実施形態によれば、図１５（ｂ）に示したように、ユーザは、共有パネル４００を通じて自分が所有している他のデバイスであるＴＶやタブレットＰＣに共有データを伝送してもよい。
また、図１５（ｃ）に示したように、ユーザは、共有パネル４００でエージェントの識別情報を選択することで、エージェントサーバとチャット、通話などが行える。
一方、図１５（ｄ）に示したように、ユーザは、共有パネル４００を通じてペース北などのＳＮＳサーバに共有しようとするデータを簡便に伝送することもできる。
【０１０４】
以下では、ユーザに情報を提供する方法について、図１６を参照してさらに詳細に説明する。
図１６は、本発明の一実施形態に係る情報提供方法を説明するためのフローチャートである。
図１６に示したように、センシング部１１０は、ユーザのパネル要請ジェスチャーを感知する［Ｓ１６１０］。本発明の一実施形態に係るパネル要請ジェスチャーは、共有パネル要請ジェスチャー、キャプチャーパネル要請ジェスチャー、おすすめパネル要請ジェスチャーを含む。おすすめパネルとは、ユーザにすすめられるおすすめコンテンツが表示される領域を意味する。おすすめパネルについては、図１８で詳細に説明する。
【０１０５】
本発明の一実施形態によれば、ディスプレイ部１５０は、前記パネル要請ジェスチャーに応答し、画面の左側、右側、及び下端のうちの少なくとも１つでパネルを示してディスプレイする［Ｓ１６２０］。すなわち、本発明の一実施形態によれば、ディスプレイ部１５０は、画面の一側に隠されたパネルを、ユーザのパネル要請ジェスチャーによって画面に露出させる。
本発明の一実施形態に係るパネルは、外部デバイスの識別情報のリストが含まれた共有パネル、キャプチャーデータのリストが表示されるキャプチャーパネル、及びおすすめコンテンツが表示されるおすすめパネルのうちの少なくとも１つを含む。
本発明の一実施形態によれば、センシング部１１０は、所定領域を所定回数以上タップするジェスチャーをパネル要請ジェスチャーと感知する。また、センシング部１１０は、既定の音節または単語を認識し、これをパネル要請ジェスチャーと感知してもよい。
【０１０６】
図１７は、本発明の一実施形態に係る共有パネル、キャプチャーパネル、おすすめパネルを説明するための図面である。
図１７に示したように、ユーザのパネル要請ジェスチャーによって、キャプチャーパネル３００、共有パネル４００、おすすめパネル６００のうちの少なくとも１つがディスプレイされる。例えば、ユーザが左側ベゼルを右側方向にフリックする場合にキャプチャーパネル３００がディスプレイされ、ユーザが右側ベゼルを左側方向にフリックする場合に共有パネル４００がディスプレイされ、ユーザが移動端末機１００の下端をダブルタップする場合、おすすめパネル６００がディスプレイされる。
本発明の一実施形態によれば、ユーザの簡単なジェスチャーによって隠されたパネルが画面の一側で現れてディスプレイされる。
【０１０７】
以下、おすすめパネルを通じてユーザに情報を提供する方法について、図１８を参照してさらに詳細に説明する。
図１８は、本発明の一実施形態に係るコンテンツおすすめ方法を説明するためのフローチャートである。図１８を参照すれば、本発明の一実施形態に係るおすすめパネルを用いる情報提供方法は、図１に示した移動端末機１００で時系列的に処理される段階で構成される。よって、以下で省略された内容であっても、図１に示した移動端末機１００に関して以上で記述された内容は、図１８のおすすめパネルを用いる情報提供方法にも適用されるということが分かる。
図１８に示したように、本発明の一実施形態によれば、センシング部１１０は、おすすめ要請ジェスチャーを感知する［Ｓ１８１０］。おすすめ要請ジェスチャーとは、おすすめコンテンツのディスプレイを要請するジェスチャーを意味する。本発明の一実施形態に係るおすすめ要請ジェスチャーは、既定のものであってもよい。本発明の一実施形態に係るおすすめ要請ジェスチャーはおすすめパネル要請ジェスチャーを含む。
【０１０８】
本発明の一実施形態によれば、おすすめ要請ジェスチャーは、移動端末機１００の所定領域を所定回数以上タップするジェスチャーを含む。すなわち、センシング部１１０は、移動端末機１００の所定領域を所定回数以上タップするジェスチャーをおすすめ要請ジェスチャーと感知する。
例えば、ユーザがコンテンツをすすめられるために移動端末機１００のベゼル領域をダブルタップする場合、センシング部１１０は、前記ユーザのダブルタップジェスチャーをおすすめ要請ジェスチャーと感知する。
本発明のさらに別の実施形態によれば、おすすめ要請ジェスチャーは、画面の外側の所定位置で画面の内側方向にフリックするジェスチャーも含む。例えば、ユーザが下側ベゼルの所定位置から上側方向にフリックする場合、センシング部１１０は、おすすめ要請ジェスチャーが存在すると判断する。一方、本発明の一実施形態によれば、おすすめ要請ジェスチャーは、所定回数以上移動端末機１００を振るジェスチャーも含む。
【０１０９】
本発明の一実施形態によれば、センシング部１１０は、音声認識中に所定時間以上ユーザ音声の断絶を感知する。この場合、センシング部１１０は、ユーザ音声の断絶をおすすめ要請ジェスチャーとして認識してもよい。
本発明の一実施形態によれば、センシング部１１０はユーザの音声を認識し、前記認識されたユーザの音声を分析して、既定のコンテンツおすすめを要請する単語または音節を感知する。本発明の一実施形態によれば、「コンテンツおすすめを要請する単語」は、ユーザが迷うか、または考える時によく使う単語である。例えば、「うーん…」や「じゃあ…」などがある。
コンテンツおすすめを要請する単語はユーザによって設定されてもよく、制御部１８０がユーザの言語パターンを分析して自動で設定してもよい。
【０１１０】
本発明の一実施形態によれば、おすすめ部１７０は、ユーザによってキャプチャーされたコンテンツに対応するイメージ及びメタデータを含むキャプチャーデータに基づいておすすめコンテンツを生成する［Ｓ１８２０］。
一般的にユーザは、興味度の高い対象をキャプチャーし、本発明の一実施形態に係るキャプチャーデータは、キャプチャーされたコンテンツに対応するイメージだけではなくメタデータも含んでいるので、キャプチャーデータに基づいておすすめコンテンツを生成する場合、ユーザに最適のコンテンツをすすめる。
本発明の一実施形態に係るキャプチャーデータは、移動端末機１００内で行われる内部コンテンツに対応するキャプチャーデータ、及び移動端末機１００の外部に存在する外部コンテンツに対応するキャプチャーデータを含む。
【０１１１】
本発明の一実施形態によれば、おすすめ部１７０は、移動端末機１００の使用パターン情報、ユーザのプロファイル情報、ユーザの生活パターン情報、及びおすすめ要請ジェスチャー感知時の状況情報のうちの少なくとも１つをさらに考慮しておすすめコンテンツを生成してもよい。
移動端末機１００の使用パターン情報には、通話時間、通話内訳、メッセージ内容、一定、選好アプリケーション種類、ウェブサイト訪問記録、期保存された音楽ファイル情報、ユーザの選好度（好む場所、好む音楽ジャンル、好むコンテンツ、好む映画、好む友達、好むゲーム、ブックマークになったコンテンツなど）などが含まれる。
ユーザの生活パターン情報には、食事、住居、運動、業務、休憩、睡眠周期などユーザの生活周期に関する情報が含まれる。ユーザのプロファイル情報には、年齢、性別、職業、学歴などが含まれる。
本発明の一実施形態に係る状況情報は、おすすめ要請ジェスチャー感知時に移動端末機１００またはその周りで収集される情報を意味する。本発明の一実施形態に係る状況情報には、おすすめ要請ジェスチャー感知時に再生中のコンテンツ情報、おすすめ要請ジェスチャー感知時の移動端末機１００の位置情報、おすすめ要請ジェスチャー感知時の時間情報、おすすめ要請ジェスチャー感知時の天気情報などがある。
【０１１２】
本発明の一実施形態によれば、ディスプレイ部１５０は、おすすめコンテンツを含むおすすめパネルを画面にディスプレイする［Ｓ１８３０］。この時、本発明の一実施形態によれば、前記おすすめパネルは下側ベゼルから上側方向に出現する。
本発明の一実施形態に係るディスプレイ部１５０は、おすすめ広告もディスプレイする。おすすめ部１７０は、移動端末機１００の位置、時間、日付、天気などの状況情報及びキャプチャーデータ、ユーザログデータなどに鑑みておすすめ広告を抽出する。図１９を参照して詳細に説明する。
【０１１３】
図１９は、本発明の一実施形態に係るおすすめ要請ジェスチャーを説明するための図面である。
図１９（ａ）に示したように、本発明の一実施形態によれば、コンテンツを進められたい場合、ユーザは移動端末機１００の下端をダブルタップする。この場合、センシング部１１０は、ユーザのダブルタップジェスチャーをおすすめ要請ジェスチャーと感知する。
おすすめ要請ジェスチャーが感知されれば、おすすめ部１７０は、キャプチャーデータに基づいておすすめコンテンツを生成する。例えば、ユーザがＡ歌手の音楽をキャプチャーパネル３００で一週間に５日以上再生し、Ａ歌手の音楽ファイルのキャプチャーデータが全体キャプチャーデータの２０％を超え、ユーザが公園でＡ歌手の音楽ファイルをキャプチャーする割合が８０％である場合を仮定する。この時、ユーザが公園で移動端末機１００の下端をダブルタップする場合、おすすめ部１７０は、Ａ歌手の音楽に関するコンテンツをおすすめコンテンツとして生成する。
さらに別の例を挙げれば、２０１０年の家族旅行写真の含まれたフォルダがディスプレイされた状態で、ユーザが移動端末機１００のベゼル領域をダブルタップする。この場合、おすすめ部１７０は、ディスプレイされた写真コンテンツ情報に関する２０１１年の済州島家族旅行写真フォルダをおすすめコンテンツとして生成してもよい。
【０１１４】
本発明の一実施形態によれば、ユーザが音声認識を使う途中で適当な言葉が思い出さなくて「うーん…」と話をしばらく中断する場合、センシング部１１０は、音声認識が中断した時間または「うーん」単語を認識する。
この時、音声認識の中断した時間が所定時間を超える場合、センシング部１１０は、ユーザの音声断絶をおすすめ要請ジェスチャーと感知する。また、「うーん」がコンテンツおすすめ要請単語と既定されている場合、センシング部１１０は、音声認識中に感知された「うーん」単語をおすすめ要請ジェスチャーと判断する。
おすすめ要請ジェスチャーが感知されたので、おすすめ部１７０はおすすめコンテンツを生成する。この時、おすすめ部１７０は、ユーザの普段の言語習慣情報をさらに考慮して次につながる言葉を予測し、予測された言葉に基づいておすすめコンテンツを生成してもよい。
【０１１５】
一方、おすすめコンテンツは、イメージ及びメタデータを含むキャプチャーデータであってもよい。
図１９（ｂ）に示したように、ディスプレイ部１５０は、おすすめコンテンツ１９１０を含むおすすめパネルをディスプレイする。本発明の一実施形態によれば、ディスプレイ部１５０は、おすすめ広告１９２０をさらにディスプレイしてもよい。
この時、センシング部１１０は、ディスプレイされたおすすめコンテンツについてのユーザの選択を感知する。この場合、制御部１８０は、選択が感知されたおすすめコンテンツを行う。例えば、おすすめパネルにディスプレイされたおすすめコンテンツが、音楽コンテンツに関するイメージである場合、ユーザは、ディスプレイされた音楽コンテンツに関するイメージをタッチまたはタップすることで音楽コンテンツを再生する。
【０１１６】
図２０は、本発明の一実施形態に係るおすすめデータをディスプレイする方法を説明するための図面である。
本発明の一実施形態によれば、おすすめ部１７０は、複数のおすすめコンテンツを生成する。この場合、本発明の一実施形態によれば、ディスプレイ部１５０は複数のおすすめコンテンツをディスプレイする。
本発明の一実施形態に係るディスプレイ部１５０は、複数のおすすめコンテンツをおすすめパネルに同時にディスプレイしてもよく、ユーザのジェスチャーによって順次に複数のおすすめコンテンツをおすすめパネルにディスプレイしてもよい。
【０１１７】
例えば、おすすめ部１７０が第１おすすめコンテンツ１８１０及び第２おすすめコンテンツ１８２０を生成した場合、ディスプレイ部１５０は、おすすめパネルに第１おすすめコンテンツ１８１０を先ずディスプレイする。そして、センシング部１１０によっておすすめパネル内の第１地点から第２地点へのフリックジェスチャーが感知されれば、ディスプレイ部１５０は、前記フリックジェスチャーに基づいておすすめパネルに、第１おすすめコンテンツ１８１０を第２おすすめコンテンツ１８２０に変更してディスプレイする。
すなわち、ユーザは本のページをめくるような簡単なジェスチャーにより複数のおすすめコンテンツを確認する。ユーザはおすすめコンテンツを確認していて、再生しようとするおすすめコンテンツをタップする。この場合、制御部１８０は、タップジェスチャーに対応するおすすめコンテンツを再生する。この時、ユーザが選択したおすすめコンテンツに関する情報はユーザログに記録される。
【０１１８】
本発明の一実施形態に係る方法は、多様なコンピュータ手段により行われるプログラム命令の形態で具現され、コンピュータで読み取り可能な記録媒体に記録される。前記コンピュータで読み取り可能な記録媒体は、プログラム命令、データファイル、データ構造などを単独または組み合わせて含む。前記媒体に記録されるプログラム命令は、本発明のために特に設計かつ構成されたものであるか、またはコンピュータソフトウェアの当業者に公知されて使用可能なものである。コンピュータで読み取り可能な記録媒体の例には、ハードディスク、フロッピー（登録商標）ディスク及び磁気テープなどの磁気媒体、ＣＤ−ＲＯＭ、ＤＶＤのような光記録媒体、フロプティカルディスクのような磁気光媒体、及びＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、フラッシュメモリなどのプログラム命令を保存して行えるように特別に構成されたハードウェア装置が含まれる。プログラム命令の例には、コンパイラによって作われる機械語コードだけではなく、インタプリタなどを使ってコンピュータで行われる高級言語コードを含む。
【０１１９】
以上、本発明の実施形態について詳細に説明したが、本発明の範囲はこれに限定されるものではなく、特許請求の範囲で定義している本発明の基本概念を用いる当業者のさまざまな変形及び改良形態も本発明の範囲に属する。
【産業上の利用可能性】
【０１２０】
本発明は、キャプチャーデータ提供のための移動端末機関連の技術分野に好適に用いられる。
【符号の説明】
【０１２１】
１００  移動端末機
１１０  センシング部
１２０  キャプチャー部
１２１  カメラ
１２２  マイク
１３０  メモリ
１４０  ユーザ入力部
１５０  ディスプレイ部
１６０  通信部
１７０  おすすめ部
１８０  制御部
２００  外部デバイス
３００  キャプチャーパネル
４００  共有パネル
【図１】
2013175183.tif 000003
【図２】
2013175183.tif 000004
【図３】
2013175183.tif 000005
【図４】
2013175183.tif 000006
【図５】
2013175183.tif 000007
【図６】
2013175183.tif 000008
【図７】
2013175183.tif 000009
【図８】
2013175183.tif 000010
【図９】
2013175183.tif 000011
【図１０】
2013175183.tif 000012
【図１１】
2013175183.tif 000013
【図１２】
2013175183.tif 000014
【図１３】
2013175183.tif 000015
【図１４】
2013175183.tif 000016
【図１５】
2013175183.tif 000017
【図１６】
2013175183.tif 000018
【図１７】
2013175183.tif 000019
【図１８】
2013175183.tif 000020
【図１９】
2013175183.tif 000021
【図２０】
2013175183.tif 000022